(57)【特許請求の範囲】
【請求項１】
表示装置の動作を制御する表示制御装置であって、
表示装置に表示される映像を鑑賞者に対して非表示の状態にすることが可能な表示状態変更手段と、
鑑賞者が希望する映像の鑑賞態様を示す鑑賞態様情報を上記表示制御装置に入力する鑑賞態様情報入力手段と、
上記表示装置に表示される映像に関する映像情報と上記鑑賞態様情報とに基づいて、表示装置に時分割表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、
上記表示／非表示映像判断手段によって非表示映像と判断された映像が上記表示装置に表示されるときに、上記表示状態変更手段が鑑賞者に対して上記映像を非表示にする右目映像非表示化手段及び左目映像非表示化手段を有する映像非表示制御手段を備え、
上記映像情報は、上記表示装置に表示される映像の映像提供者に関する映像提供者情報を含み、
上記鑑賞態様情報は、上記鑑賞者が希望する映像の鑑賞態様が、特定の映像提供者が提供する映像の鑑賞であることを示す特定提供者鑑賞情報を含み、
上記表示装置に表示されることが可能な映像情報が複数存在し、
上記映像提供者が、その複数の映像それぞれに対して存在し、
上記表示／非表示映像判断手段は、上記映像提供者情報と上記特定提供者鑑賞情報とに基づいて、上記特定の映像提供者が提供する映像を上記表示映像と、それ以外の映像提供者が提供する映像を上記非表示映像と判断するときに、上記表示装置に表示される複数の映像の少なくとも一つを非表示映像と判断することを特徴とする表示制御装置。
【請求項２】
上記映像情報は、３次元表示に用いることが可能な右目用映像そのものを示す右目用映像情報と、３次元表示に用いることが可能な左目用映像そのものを示す左目用映像情報とを含み、
上記鑑賞態様情報は、上記鑑賞者が希望する映像の鑑賞態様が、２次元表示による鑑賞であることを示す２次元鑑賞情報を含むときに、
上記表示／非表示映像判断手段は、上記右目用映像情報および上記左目用映像情報と、上記２次元鑑賞情報とに基づいて、上記右目用映像あるいは上記左目用映像の何れかを上記表示映像と、他方を上記非表示映像と判断することを特徴とする請求項１に記載の表示制御装置。
【請求項３】
上記映像情報は、３次元表示に用いることが可能な右目用映像そのものを示す右目用映像情報と、３次元表示に用いることが可能な左目用映像そのものを示す左目用映像情報と、２次元表示に用いられる両目用映像そのものを示す両目用映像情報とを含み、
上記鑑賞態様情報は、鑑賞者が希望する映像の表示態様が３次元表示または２次元表示の何れの表示態様であるかを示す表示態様情報を含むときに、
上記表示／非表示映像判断手段は、上記鑑賞者が希望する映像の表示態様が３次元表示である場合には、上記両目用映像情報に係る映像を上記非表示映像と判断し、上記鑑賞者が希望する映像の表示態様が２次元表示である場合には、上記右目用映像情報および上記左目用映像情報に係る映像を上記非表示映像と判断することを特徴とする請求項１に記載の表示制御装置。
【請求項４】
上記鑑賞者は、複数存在し、
上記鑑賞態様情報が、その複数の鑑賞者それぞれに対して存在するときに、
上記映像非表示制御手段は、上記複数の鑑賞者が使用する上記表示状態変更手段それぞれについて、上記表示／非表示映像判断手段によって非表示映像と判断された映像が上記表示装置に表示されるときに、上記右目映像非表示化手段及び左目映像非表示化手段により鑑賞者に対して映像を非表示とすることを特徴とする請求項１から３の何れか１項に記載の表示制御装置。
【請求項５】
表示装置の動作を制御する表示制御装置の表示制御方法であって、
表示装置に表示される映像を鑑賞者に対して非表示の状態にすることが可能な表示状態変更ステップと、
鑑賞者が希望する映像の鑑賞態様を示す鑑賞態様情報を上記表示制御装置に入力する鑑賞態様情報入力ステップと、
上記表示装置に表示される映像に関する映像情報と上記鑑賞態様情報とに基づいて、表示装置に時分割表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断ステップと、
上記表示／非表示映像判断ステップにて非表示映像と判断された映像が上記表示装置に表示されるときに、上記表示状態変更ステップにて鑑賞者に対して上記映像を非表示にする右目映像非表示化ステップ及び左目映像非表示化ステップを含む映像非表示制御ステップを含み、
上記映像情報は、上記表示装置に表示される映像の映像提供者に関する映像提供者情報を含み、
上記鑑賞態様情報は、上記鑑賞者が希望する映像の鑑賞態様が、特定の映像提供者が提供する映像の鑑賞であることを示す特定提供者鑑賞情報を含み、
上記表示装置に表示されることが可能な映像情報が複数存在し、
上記映像提供者が、その複数の映像それぞれに対して存在し、
上記表示／非表示映像判断ステップにて、上記映像提供者情報と上記特定提供者鑑賞情報とに基づいて、上記特定の映像提供者が提供する映像を上記表示映像と、それ以外の映像提供者が提供する映像を上記非表示映像とが判断されるときに、上記表示装置に表示される複数の映像の少なくとも一つを非表示映像と判断することを特徴とする表示制御方法。
【発明の詳細な説明】
【技術分野】
【０００１】
本発明は、各々の鑑賞者に適した態様で映像を鑑賞させるための表示制御装置に関するものである。
【背景技術】
【０００２】
近年、２Ｄ映像以外の、３Ｄ映像の視聴方法等の研究が盛んになってきている。
【０００３】
３Ｄ映像を視聴等するには、例えば、３Ｄ映像専用の右目用映像および左目用映像を別々に表示し、偏光メガネ等で２つの映像を、右目及び左目のそれぞれの目のみで視覚する必要がある。
【０００４】
このような、従来の３Ｄ映像を視聴等する技術の一例として特許文献１に開示された立体映像記録方法等がある。
【０００５】
この特許文献１に開示された立体映像記録方法等では、光ディスクに３Ｄ映像専用の左目用映像と右目用映像とを３次元映像の出力が可能となるようにシーケンスに配列して記録することで、３Ｄ映像を視聴等することを可能としている。
【０００６】
また、従来の３Ｄ映像を視聴等する技術の他の例として特許文献２に開示されたビデオテープレコーダが例示できる。
【０００７】
この特許文献２に開示されたビデオテープレコーダでは、３Ｄ映像専用の奇数フィールドの画像と、偶数フィールドの画像とを選択して再生することで、３Ｄ映像を視聴等することを可能としている。
【０００８】
さらに、撮影者の利き目の情報に関連付けられて多視点画像（３Ｄ画像）が生成される技術が特許文献３に開示されている。
【０００９】
この特許文献３に開示された撮像装置では、撮影者の利き目の情報が予め登録されている。そして、撮影者の目の間隔及び測距された被写体距離に基づいて輻輳角が算出され、その輻輳角となるように撮像手段の駆動が制御されて３Ｄ画像が撮影される。その後、その３Ｄ画像と利き目の情報とが関連付けられて記録部に記録される。続いて、３Ｄ画像と関連付けられた利き目の情報に基づいて、３Ｄ画像のうちの利き目に対応する画像を基準にして、表示手段に出力するための３Ｄ画像が生成される。そして、当該撮像装置は、その３Ｄ画像を表示手段に表示する。
【先行技術文献】
【特許文献】
【００１０】
【特許文献１】特開２００９−１３５６８６号公報（２００９年  ６月１８日公開）
【特許文献２】特開昭６２  −１６６６６９号公報（１９８７年  ７月２３日公開）
【特許文献３】特開２００８−２９４５３０号公報（２００８年１２月  ４日公開）
【発明の概要】
【発明が解決しようとする課題】
【００１１】
ところで、３Ｄ映像を視聴する場合、いわゆる３Ｄ酔いが生じることがある。その３Ｄ酔いの原因は、「現在目で見ている世界の動き」と「実際の三半規管の動き」との間にズレから生ずると言われており、それを脳が「酔い」と感じて混乱することによる。その結果、その混乱が頭痛や吐き気、目眩となって現れる。
【００１２】
そして、その「現在目で見ている世界の動き」と「実際の三半規管の動き」のズレは、脳が、補助映像を主映像よりも先に認識してしまうことが原因の１つであると言われている。
【００１３】
具体的に説明すると、利き目が右目の場合、脳は、最初に右目で映像（主映像）を認識し、次に、利き目とは逆の左目で映像（補助映像）を認識した場合に、「現在目で見ている世界の動き」と「実際の三半規管の動き」との間にズレを生じることなく、つまり、３Ｄ酔いを起こすことなく、３Ｄ映像を認識することができる。
【００１４】
それに対して、脳が、最初に利き目とは逆の目（左目）で補助映像を認識し、次に利き目（右目）で主映像を認識した場合に、「現在目で見ている世界の動き」と「実際の三半規管の動き」との間にズレが生じて、その結果、脳が「酔い」を感じて混乱する場合がある。
【００１５】
これは、一般的に、３Ｄ画像では、右目用映像および左目用映像が若干ずれた形で表示されることによるものであり、３Ｄ映像を視認する場合、脳は、最初に利き目で主映像を認識し、次に、利き目とは逆の目で補助映像を認識することが好ましく、これにより３Ｄ酔いの発生を防ぐことができる。
【００１６】
この点、特許文献１及び２では、３Ｄ映像専用の右目用映像および左目用映像を利き目との関係でどの順序で表示装置に表示するか示していない。従って、特許文献１及び２に係る立体映像記録方法等及びビデオテープレコーダでは、補助映像が主映像よりも先に視聴者の脳に認識された場合に、その視聴者に３Ｄ酔いが生じる場合がある。
【００１７】
さらに、特許文献１及び２に係る立体映像記録方法等及びビデオテープレコーダは、利き目の異なる複数の視聴者が同時に１つの３Ｄ映像を見る場合に、各人の利き目を考慮した順序で右目及び左目用映像を表示することができない。従って、上述した理由により、一部の者に３Ｄ酔いが生じる可能性を排除できない。
【００１８】
また、特許文献３には、利き目に適合するように表示映像を調整した後に、その利き目に適合する画像を含む３Ｄ画像を表示する方法が開示されている。
【００１９】
しかしながら、当該方法は、取得したデータを利き目に適合するように表示映像に調整（修正）する必要があるため、システムが複雑になるという問題があった。
【００２０】
さらに別の問題として、特許文献１〜３の技術を用いて３Ｄ酔いを回避する場合、利き目が右目または左目の場合に応じて、表示装置に表示される右目用映像および左目用映像の配列を逆にした２種類の画像を準備する必要がある。そのため、必要な記録装置の記録容量が増してコストアップにつながり、鑑賞者にとって利便性が低下するという問題があった。
【００２１】
このような問題点は、つまるところ、鑑賞者に適した態様で映像を鑑賞させることができないという問題といえる。そして、その問題は、３Ｄ映像に限られるものではなく、例えば、３Ｄ映像または２Ｄ映像から希望の映像を選択する場合や、複数の２Ｄ映像から所望の２Ｄ映像を鑑賞する場合などにおいても該当する。
【００２２】
具体的には、表示装置に３Ｄ用映像が表示されている場合に、３Ｄ映像または２Ｄ映像の何れかを鑑賞者に選択させる、表示装置にチャンネルＡ、チャンネルＢ、チャンネルＣといった番組が表示されている場合に、好みのチャンネルを鑑賞者に鑑賞させる、といった鑑賞態様を鑑賞者に提供することは、周知の技術によって実現することはできない。
【００２３】
本願発明は、前記従来の問題点に鑑みなされたものであって、その目的は、各々の鑑賞者に適した態様で映像を鑑賞させることが可能な表示制御装置を提供することにある。
【課題を解決するための手段】
【００２４】
本発明の一実施形態に係る表示制御装置は、上記の課題を解決するために、表示装置の動作を制御する表示制御装置であって、表示装置に表示される映像を鑑賞者に対して非表示の状態にすることが可能な表示状態変更手段と、鑑賞者が希望する映像の鑑賞態様を示す鑑賞態様情報を上記表示制御装置に入力する鑑賞様態情報入力手段を介した入力と、上記鑑賞態様情報とに基づいて、上記表示装置に表示される映像に関する映像情報と、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、上記表示／非表示映像判断手段によって非表示映像と判断された映像が上記表示装置に表示されるときに、上記表示状態変更手段が鑑賞者に対して上記映像を非表示にする右目映像非表示化手段あるいは左目映像非表示化手段を有する映像非表示制御手段を備え、上記映像情報は、上記表示装置に表示される映像の映像提供者に関する映像提供者情報を含み、上記鑑賞態様情報は、上記鑑賞者が希望する映像の鑑賞態様が、特定の映像提供者が提供する映像の鑑賞であることを示す特定提供者鑑賞情報を含み、上記表示装置に表示されることが可能な映像情報が複数存在し、上記映像提供者が、その複数の映像それぞれに対して存在し、上記表示／非表示映像判断手段は、上記映像提供者情報と上記特定提供者鑑賞情報とに基づいて、上記特定の映像提供者が提供する映像を上記表示映像と、それ以外の映像提供者が提供する映像を上記非表示映像と判断するときに、上記表示装置に表示される複数の映像それぞれが、少なくとも一つの上記表示／非表示映像判断手段によって、非表示映像と判断されるように、上記表示装置に映像が分離表示されることを特徴としている。
【００２５】
本発明の一実施形態に係る表示制御装置の表示制御方法は、上記の課題を解決するために、表示装置の動作を制御する表示制御装置の表示制御方法であって、表示装置に表示される映像を鑑賞者に対して非表示の状態にすることが可能な表示状態変更ステップと、鑑賞者が希望する映像の鑑賞態様を示す鑑賞態様情報を上記表示制御装置に入力する鑑賞様態情報入力手段を介した入力と、上記鑑賞態様情報とに基づいて、上記表示装置に表示される映像に関する映像情報と、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断ステップと、上記表示／非表示映像判断ステップにて非表示映像と判断された映像が上記表示装置に表示されるときに、上記表示状態変更ステップにて鑑賞者に対して上記映像を非表示にする右目映像非表示化ステップあるいは左目映像非表示化ステップを含む映像非表示制御ステップを含み、上記映像情報は、上記表示装置に表示される映像の映像提供者に関する映像提供者情報を含み、上記鑑賞態様情報は、上記鑑賞者が希望する映像の鑑賞態様が、特定の映像提供者が提供する映像の鑑賞であることを示す特定提供者鑑賞情報を含み、上記表示装置に表示されることが可能な映像情報が複数存在し、上記映像提供者が、その複数の映像それぞれに対して存在し、上記表示／非表示映像判断ステップにて、上記映像提供者情報と上記特定提供者鑑賞情報とに基づいて、上記特定の映像提供者が提供する映像を上記表示映像と、それ以外の映像提供者が提供する映像を上記非表示映像とが判断されるときに、上記表示装置に表示される複数の映像それぞれが、少なくとも一つの上記表示／非表示映像判断ステップにて、非表示映像と判断されるように、上記表示装置に映像が分離表示されることを特徴としている。
【発明の効果】
【００２６】
本発明に係る表示制御装置は、以上のように、表示装置に表示される映像を鑑賞者に対して非表示の状態にすることが可能な表示状態変更手段と、鑑賞者が希望する映像の鑑賞態様を示す鑑賞態様情報を上記表示制御装置に入力する鑑賞様態情報入力手段を介した入力と、上記鑑賞態様情報とに基づいて、上記表示装置に表示される映像に関する映像情報と、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、上記表示／非表示映像判断手段によって非表示映像と判断された映像が上記表示装置に表示されるときに、上記表示状態変更手段が鑑賞者に対して上記映像を非表示にする右目映像非表示化手段あるいは左目映像非表示化手段を有する映像非表示制御手段を備え、上記映像情報は、上記表示装置に表示される映像の映像提供者に関する映像提供者情報を含み、上記鑑賞態様情報は、上記鑑賞者が希望する映像の鑑賞態様が、特定の映像提供者が提供する映像の鑑賞であることを示す特定提供者鑑賞情報を含み、上記表示装置に表示されることが可能な映像情報が複数存在し、上記映像提供者が、その複数の映像それぞれに対して存在し、上記表示／非表示映像判断手段は、上記映像提供者情報と上記特定提供者鑑賞情報とに基づいて、上記特定の映像提供者が提供する映像を上記表示映像と、それ以外の映像提供者が提供する映像を上記非表示映像と判断するときに、上記表示装置に表示される複数の映像それぞれが、少なくとも一つの上記表示／非表示映像判断手段によって、非表示映像と判断されるように、上記表示装置に映像が分離表示される構成である。
【００２７】
また、本発明に係る表示制御方法は、以上のように、表示装置に表示される映像を鑑賞者に対して非表示の状態にすることが可能な表示状態変更ステップと、鑑賞者が希望する映像の鑑賞態様を示す鑑賞態様情報を上記表示制御装置に入力する鑑賞様態情報入力手段を介した入力と、上記鑑賞態様情報とに基づいて、上記表示装置に表示される映像に関する映像情報と、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断ステップと、上記表示／非表示映像判断ステップにて非表示映像と判断された映像が上記表示装置に表示されるときに、上記表示状態変更ステップにて鑑賞者に対して上記映像を非表示にする右目映像非表示化ステップあるいは左目映像非表示化ステップを含む映像非表示制御ステップを含み、上記映像情報は、上記表示装置に表示される映像の映像提供者に関する映像提供者情報を含み、上記鑑賞態様情報は、上記鑑賞者が希望する映像の鑑賞態様が、特定の映像提供者が提供する映像の鑑賞であることを示す特定提供者鑑賞情報を含み、上記表示装置に表示されることが可能な映像情報が複数存在し、上記映像提供者が、その複数の映像それぞれに対して存在し、上記表示／非表示映像判断ステップにて、上記映像提供者情報と上記特定提供者鑑賞情報とに基づいて、上記特定の映像提供者が提供する映像を上記表示映像と、それ以外の映像提供者が提供する映像を上記非表示映像とが判断されるときに、上記表示装置に表示される複数の映像それぞれが、少なくとも一つの上記表示／非表示映像判断ステップにて、非表示映像と判断されるように、上記表示装置に映像が分離表示される構成である。
【図面の簡単な説明】
【００２８】
【図１】本発明の表示制御装置を備えた記録再生装置の概略構成を示すブロック図である。
【図２】映像配列部が一対の右目用映像情報および左目用映像情報を規則的に配列した配列構成を示す図であり、（ａ）は、右目用映像情報、左目用映像情報、右目用映像情報の順序で、（ｂ）は、左目用映像情報、右目用映像情報、左目用映像情報の順序で、（ｃ）は、右目用映像情報、左目用映像情報の順序で、（ｄ）は、左目用映像情報、右目用映像情報の順序で、それぞれ配列された様子を示す図である。
【図３】変更情報生成部が生成する変更情報の一例を示す図であり、（ａ）は、右目用映像情報および左目用映像情報の配列が、右目用映像情報、左目用映像情報、右目用映像情報を１フレームとして構成されている場合であり、（ｂ）は、鑑賞者の利き目が右目である場合に、（ｃ）は、鑑賞者の利き目が左目である場合に、それぞれ液晶シャッターの開閉動作を指示する情報を説明するための図である。
【図４】変更情報生成部が生成する変更情報の一例を示す図であり、（ａ）は、右目用映像情報および左目用映像情報の配列が、左目用映像情報、右目用映像情報、左目用映像情報を１フレームとして構成されている場合であり、（ｂ）は、鑑賞者の利き目が右目である場合に、（ｃ）は、鑑賞者の利き目が左目である場合に、それぞれ液晶シャッターの開閉動作を指示する情報を説明するための図である。
【図５】変更情報生成部が生成する変更情報の一例を示す図であり、（ａ）は、右目用映像情報および左目用映像情報の配列が、右目用映像情報、左目用映像情報を１フレームとして構成されている場合であり、（ｂ）は、鑑賞者の利き目が右目である場合に、（ｃ）は、鑑賞者の利き目が左目である場合に、それぞれ液晶シャッターの開閉動作を指示する情報を説明するための図である。
【図６】変更情報生成部が生成する変更情報の一例を示す図であり、（ａ）は、右目用映像情報および左目用映像情報の配列が、左目用映像情報、右目用映像情報を１フレームとして構成されている場合であり、（ｂ）は、鑑賞者の利き目が右目である場合に、（ｃ）は、鑑賞者の利き目が左目である場合に、それぞれ液晶シャッターの開閉動作を指示する情報を説明するための図である。
【図７】表示制御装置および記録再生装置の動作を説明するためのフローチャートである。
【図８】本発明に係る表示制御装置を備える他の記録再生装置の全体の概要構成を示すブロック図である。
【図９】本発明に係る表示制御装置を備える他の記録再生装置に含まれる情報記録再生部の全体の概要構成を示すブロック図である。
【図１０】本発明に係る他の表示制御装置を備えた記録再生装置の概略構成を示すブロック図である。
【図１１】本発明に係る他の表示制御装置および記録再生装置の動作を説明するためのフローチャートである。
【図１２】表示／非表示映像判断部およびシャッター動作制御部の動作を説明するための図であり、（ａ）は、映像Ａ及び映像Ｂが表示装置に表示されるタイミングを示す図であり、（ｂ）は、メガネＰのシャッター制御を示す図であり、（ｃ）は、メガネＱのシャッター制御を示す図である。
【図１３】表示／非表示映像判断部およびシャッター動作制御部の動作を説明するための図であり、（ａ）は、映像Ａ及び映像Ｂが表示装置に表示されるタイミングを示す図であり、（ｂ）は、メガネＰのシャッター制御を示す図であり、（ｃ）は、メガネＱのシャッター制御を示す図である。
【図１４】表示／非表示映像判断部およびシャッター動作制御部の動作を説明するための図であり、（ａ）は、映像Ａ〜映像Ｃが表示装置に表示されるタイミングを示す図であり、（ｂ）は、メガネＰのシャッター制御を示す図であり、（ｃ）は、メガネＱのシャッター制御を示す図である。
【図１５】映像Ａ〜映像Ｆが表示装置に表示されるタイミングと、そのときのメガネＰ〜メガネＲのシャッター制御を示す図である。同図に示すように、映像Ａ〜映像Ｆが、その順序で交互に表示装置に表示される。
【図１６】本発明に係る音声出力装置を説明するためのブロック図である。
【図１７】本発明に係るさらに他の表示制御装置を備えた記録再生装置の概略構成を示すブロック図である。
【発明を実施するための形態】
【００２９】
〔実施の形態１〕
以下、図面を参照しつつ、本発明に係る表示制御装置、３次元映像表示方法について説明する。以下の説明では、同一の部品および構成要素には同一の符号を付してある。それらの名称および機能も同じである。従って、それらについての詳細な説明は繰り返さない。
【００３０】
なお、本発明に係る表示制御装置１を概略的に説明すれば以下のとおりである。すなわち、表示制御装置１は、複数の右目用映像情報および左目用映像情報から、３次元表示に用いられる一対の右目用映像情報および左目用映像情報を抽出する映像抽出部（抽出手段）３０と、映像抽出部３０が抽出した右目用映像情報および左目用映像情報を規則的に配列する映像配列部（配列手段）４０と、映像配列部４０が配列した右目用映像情報および左目用映像情報の配列構成と、鑑賞者の利き目が左右何れの目であるかを示す利き目情報とに基づいて、液晶シャッター（表示状態変更手段）５００が右目用映像および左目用映像の表示・非表示の状態を変更するための変更情報を生成する変更情報生成部（変更情報生成手段）５０と、を備える構成である。
【００３１】
これにより、表示制御装置１は、３Ｄ酔いの一因を解消することができるという効果を奏する。
【００３２】
以下、表示制御装置１の概略を説明する。
【００３３】
〔表示制御装置１の概略構成〕
図１は、表示制御装置１を備えた記録再生装置１００の概略構成を示すブロック図である。図示するように、記録再生装置１００は、少なくとも、表示制御装置１と、情報再生部１１０と、を備える構成となっている。
【００３４】
記録再生装置１００は、光ディスク等の情報記録媒体に対して情報の記録・再生を行う装置である。上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／ＢＤ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００３５】
なお、本実施の形態では、上記情報記録媒体には、複数の右目用映像および左目用映像に関する情報である右目用映像情報および左目用映像情報が記録されている。
【００３６】
右目用映像および左目用映像は、左右の目それぞれに対して表示されることにより、左右の目の視差を利用した３次元表示を実現する映像である。
【００３７】
右目用映像情報および左目用映像情報は、例えば、右目用映像および左目用映像の映像データ、または、右目用映像および左目用映像の属性を示す属性情報（右目あるいは左目用映像の何れであるかを示す情報、右目用映像と左目用映像との視差角を示す視差角情報など）等を含む。
【００３８】
あるいは、右目用映像情報および左目用映像情報は、２次元映像の３次元映像化（以下、単に「３Ｄ化」と呼ぶ場合もある。）を実現するための補完情報を含むものであってもよい。すなわち、３Ｄ化を実現するための補完情報は、実際の映像データである必要はなく、２次元映像コンテンツ（右目用映像又は右目用映像）に対しての差分情報でも良いし、そもそも映像データに関するものでなくてよく、２次元映像の３次元映像化を実現するための補完情報であれば良い。
【００３９】
情報再生部１１０は、記録再生装置１００に挿入された情報記録媒体に記録されている情報を再生するためのものである。すなわち、上記情報記録媒体には複数の右目用映像情報および左目用映像情報が記録されているため、情報再生部１１０は、それら右目用映像情報および左目用映像情報を再生するためのものである。なお、情報再生部１１０は、従来の記録再生装置における情報再生方法を用いればよいため、ここでの詳細説明は省略する。
【００４０】
表示制御装置１は、いわゆる３Ｄ酔いを解消することが可能な装置であって、図１に示すとおり、左右映像分離部１０と、コマ映像分割部２０と、映像抽出部３０と、映像配列部４０と、変更情報生成部５０とを含む構成となっている。
【００４１】
左右映像分離部１０は、情報再生部１１０が再生した複数の右目用映像情報および左目用映像情報を取得して、右目用映像情報と左目用映像情報とに分離するためのものである。
【００４２】
その分離方法としては次のような方法が考えられる。例えば、左右映像分離部１０は、情報再生部１１０が再生した、右目用映像および左目用映像の属性を示す上記の属性情報や視差角情報に基づいて、右目用映像情報と左目用映像情報とを分離することができる。あるいは、右目用映像情報および左目用映像情報が右目用映像および左目用映像の映像データそのものである場合には、左右映像分離部１０は、右目用映像と左目用映像との視差角の違い等に基づいて、周知の画像処理技術を用いて、右目用映像情報と左目用映像情報とを分離する構成で実現してもよい。
【００４３】
なお、右目用映像情報および左目用映像情報が２次元映像の３Ｄ化を実現するための補完情報を含む場合には、情報再生部１１０と左右映像分離部１０との間に設けられた、図１には不図示の映像情報生成部が、当該補完情報に基づいて、右目用映像情報および左目用映像情報を生成する構成とすればよい。そして、左右映像分離部１０は、映像情報生成部が生成した右目用映像情報および左目用映像情報に基づいて、上述した方法により、右目用映像情報と左目用映像情報とを分離すればよい。
【００４４】
左右映像分離部１０は、右目用映像情報と左目用映像情報とを分離すると、次に、その分離した右目用映像情報および左目用映像情報をコマ映像分割部２０に出力する。
【００４５】
コマ映像分割部２０は、左右映像分離部１０から、分離された右目用映像情報および左目用映像情報を取得する。そして、コマ映像分割部２０は、取得した右目用映像情報および左目用映像情報を1コマごとに分割する。ここで、１コマとは、右目用映像および左目用映像をそれぞれの目に対して表示することで３次元表示を実現する場合における、右目用映像および左目用映像の最小単位の１コマに相当するものと考えてよい。
【００４６】
そして、コマ映像分割部２０は、１コマごとに分割された右目用映像情報および左目用映像情報を記憶部２００に記憶させる。
【００４７】
なお、記録再生装置１００に挿入される情報記録媒体において、右目用映像情報および左目用映像情報が分割された状態で記録されており、また、右目用映像情報および左目用映像情報が１コマずつに分割されている場合には、その右目用映像情報および左目用映像情報は、左右映像分離部１０およびコマ映像分割部２０を介して、そのまま記憶部２００に記憶される構成で実現してもよい。
【００４８】
また、コマ映像分割部２０は、１コマごとに分割された右目用映像情報および左目用映像情報を記憶部２００に記憶させる際に、右目用映像および左目用映像の属性を示す属性情報、右目用映像および左目用映像が撮影された時刻を示す時刻情報、または表示画面に表示される順序を示す順序情報等に基づいて、上記分割された右目用映像情報および左目用映像情報それぞれに対して、右目用映像情報あるいは左目用映像情報の何れであるか、表示画面に表示される順序がどうであるか、といったことを示す固有の識別子を付してもよい。それにより、後述する映像抽出部３０は、１コマごとに分割された複数の右目用映像情報および左目用映像情報から、３次元表示に用いられる一対の右目用映像情報および左目用映像情報を抽出することが容易になるためである。
【００４９】
記憶部２００は、１コマごとに分割された右目用映像情報および左目用映像情報を記憶するものであり、ＲＡＭ（Random Access Memory）、ＲＯＭ（Read Only Memory）、ＳＲＡＭ（Static RAM）、フラッシュメモリ、キャッシュなど、およびこれらの混成で構成されてもよい。ただし、データ量が大きい情報が記憶される場合には、ＨＤＤ（Hard Disk Drive）で構成されることが好ましいが、これに限定されるものではない。なお、図１では、記憶部２００は記録再生装置１００の外部に設けられた構成となっている。しかしながら、記憶部２００は、記録再生装置１００の内部に設けられた構成で実現されてもよい。
【００５０】
映像抽出部３０は、記憶部２００にアクセスして、１コマごとに分割された複数の右目用映像情報および左目用映像情報から、３次元表示に用いられる一対の右目用映像情報および左目用映像情報を抽出する。
【００５１】
ここで、一対の右目用映像情報および左目用映像情報とは、３次元映像が表示される際に、互いに連続して表示される右目用映像情報および左目用映像情報を表す。すなわち、３Ｄ映像は、右目用映像および左目用映像をシーケンスに表示して、左右の目の視差を利用して実現するものである。従って、当該シーケンスに表示される右目用映像および左目用映像に関する情報である右目用映像情報および左目用映像情報を、ここでは「一対の右目用映像情報および左目用映像情報」と称している。
【００５２】
映像抽出部３０が一対の右目用映像情報および左目用映像情報を抽出する方法としては次のような方法が考えられる。つまり、右目用映像情報および左目用映像情報に含まれる属性情報が、右目用映像および左目用映像が撮影された時刻を示す時刻情報、表示画面に表示される順序を示す順序情報などを含む場合には、映像抽出部３０は、上記属性情報に基づいて、一対の右目用映像情報および左目用映像情報を抽出することができる。
【００５３】
あるいは、１コマごとに分割された右目用映像情報および左目用映像情報が予め一対となって記憶部２００に記憶されている場合には、映像抽出部３０は、その一対の右目用映像情報および左目用映像情報をそのまま記憶部２００から抽出する構成で実現されてもよい。
【００５４】
あるいは、映像抽出部３０が固有の識別子を右目用映像情報および左目用映像情報に付していた場合には、その固有の識別子に基づいて、一対の右目用映像情報および左目用映像情報を抽出することも可能である。
【００５５】
そのうえで、映像抽出部３０は、その一対の右目用映像情報および左目用映像情報を映像配列部４０に出力する。
【００５６】
映像配列部４０は、映像抽出部３０から、一対の右目用映像情報および左目用映像情報を取得して、その右目用映像情報および左目用映像情報を規則的に配列する。ここで、「規則的に配列」とは、以下（ａ）〜（ｄ）に例示される順序で上記一対の右目用映像情報および左目用映像情報を配列することをいう。
（ａ）右目用映像情報、左目用映像情報、右目用映像情報
（ｂ）左目用映像情報、右目用映像情報、左目用映像情報
（ｃ）右目用映像情報、左目用映像情報
（ｄ）左目用映像情報、右目用映像情報
なお、（ａ）において右目用映像情報が２回現れているが、これらは互いに同一の映像である。同様に、（ｂ）において左目用映像情報が２回現れているが、これらは互いに同一の映像である。
【００５７】
また、（ｃ）、（ｄ）は、１コマごとの映像の差が認識できないほどに右目用映像および左目用映像が細かくコマ割りされている場合に映像配列部４０が行う配列である。
【００５８】
ここで、図２は、映像配列部４０が一対の右目用映像情報および左目用映像情報を規則的に配列した配列構成を示す図であり、図２（ａ）〜図２（ｄ）は、上記（ａ）〜（ｄ）の配列に対応するものである。以下、各図について説明する。
【００５９】
図２（ａ）では、上記一対の右目用映像情報および左目用映像情報が、右目用映像情報、左目用映像情報、右目用映像情報の順序で規則的に配列されている。そして、その右目用映像情報、左目用映像情報、右目用映像情報が１フレームとして扱われている。同様に、以降の総てのフレームが、右目用映像情報、左目用映像情報、右目用映像情報の順序で規則的に配列されている。
【００６０】
図２（ｂ）では、上記一対の右目用映像情報および左目用映像情報が、左目用映像情報、右目用映像情報、左目用映像情報の順序で規則的に配列されている。そして、その左目用映像情報、右目用映像情報、左目用映像情報が１フレームとして扱われている。同様に、以降の総てのフレームが、左目用映像情報、右目用映像情報、左目用映像情報の順序で規則的に配列されている。
【００６１】
図２（ｃ）では、上記一対の右目用映像情報および左目用映像情報が、右目用映像情報、左目用映像情報の順序で規則的に配列されている。そして、その右目用映像情報、左目用映像情報が１フレームとして扱われている。同様に、以降の総てのフレームが、右目用映像情報、左目用映像情報の順序で規則的に配列されている。
【００６２】
図２（ｄ）では、上記一対の右目用映像情報および左目用映像情報が、左目用映像情報、右目用映像情報の順序で規則的に配列されている。そして、その左目用映像情報、右目用映像情報が１フレームとして扱われている。同様に、以降の総てのフレームが、左目用映像情報、右目用映像情報の順序で規則的に配列されている。
【００６３】
ここで、映像配列部４０が一対の右目用映像情報および左目用映像情報を上記（ａ）〜（ｄ）の何れのパターンで規則的に配列するかは、鑑賞者の利き目や、１コマごとの映像のコマ割りの程度等によって適宜決めることができる。
【００６４】
映像配列部４０は、上記（ａ）〜（ｄ）のように配列した右目用映像情報および左目用映像情報を変更情報生成部５０に出力する。
【００６５】
変更情報生成部５０は、映像配列部４０から、映像配列部４０が規則的に配列した右目用映像情報および左目用映像情報を取得する。換言すると、変更情報生成部５０は、映像配列部４０が配列した右目用映像情報および左目用映像情報の配列構成を取得する。また、変更情報生成部５０は、操作部３００から、鑑賞者の利き目が左右何れの目であるかを示す利き目情報を取得する。
【００６６】
ここで、操作部３００は、鑑賞者が、自身の利き目が左右何れの目であるかを示す利き目情報を変更情報生成部５０に入力するものであり、例えば、表示制御装置１を遠隔操作するリモコンや、表示制御装置１自体に設けられた操作ボタン、あるいは、表示制御装置１に接続された、マウスやキーボードなどで構成されている。操作部３００を用いて鑑賞者により入力された指示信号は、図示しない入出力制御部を介して、上述の機能ブロック各部に送られる。これにより、鑑賞者は変更情報生成部５０に利き目情報を入力することが可能となる。
【００６７】
そして、変更情報生成部５０は、映像配列部４０が配列した右目用映像情報および左目用映像情報の配列構成と、鑑賞者の利き目が左右何れの目であるかを示す利き目情報とに基づいて、後述する液晶シャッター５００が映像を表示・非表示に変更するための変更情報を生成する。
【００６８】
ここで、変更情報生成部５０が生成する変更情報の一例を図３〜図６により説明する。
【００６９】
図３（ａ）は、右目用映像情報および左目用映像情報の配列が、右目用映像情報、左目用映像情報、右目用映像情報を１フレームとして構成されている場合であり、図３（ｂ）は、鑑賞者の利き目が右目である場合に、図３（ｃ）は、鑑賞者の利き目が左目である場合に、それぞれ液晶シャッターの開閉動作を指示する情報を説明するための図である。
【００７０】
図３（ａ）に示すように、映像配列部４０が右目用映像情報および左目用映像情報を、右目用映像情報、左目用映像情報、右目用映像情報の順序で配列し、その順に第１乃至３映像情報とした場合、図３（ｂ）に示すように、鑑賞者の利き目が右目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して右目側のシャッターを開、左目側のシャッターを閉とし、第２映像情報に対して右目側のシャッターを閉、左目側のシャッターを開とし、第３映像情報に対して両目のシャッターを閉とするよう制御する。
【００７１】
そして、本実施形態では、図３（ｂ）、及び図３（ｃ）に記載される、液晶シャッターの開閉動作を指示する情報を変更情報と称している。このことは、後述する図４〜図６においても同様である。
【００７２】
一方、図３（ｃ）に示すように、鑑賞者の利き目が左目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して両目のシャッターを閉とし、第２映像情報に対して右目側のシャッターを閉、左目側のシャッターを開とし、第３映像情報に対して右目側のシャッターを開、左目側のシャッターを閉とするよう制御する。
【００７３】
図４（ａ）は、右目用映像情報および左目用映像情報の配列が、左目用映像情報、右目用映像情報、左目用映像情報を１フレームとして構成されている場合であり、図４（ｂ）は、鑑賞者の利き目が右目である場合に、図４（ｃ）は、鑑賞者の利き目が左目である場合に、それぞれ液晶シャッターの開閉動作を指示する情報を説明するための図である。
【００７４】
図４（ａ）に示すように、映像配列部４０が右目用映像情報および左目用映像情報を、左目用映像情報、右目用映像情報、左目用映像情報の順序で配列し、その順に第１乃至３映像情報とした場合、図４（ｂ）に示すように、鑑賞者の利き目が右目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して両目のシャッターを閉とし、第２映像情報に対して右目側のシャッターを開、左目側のシャッターを閉とし、第３映像情報に対して右目側のシャッターを閉、左目側のシャッターを開とするよう制御する。
【００７５】
一方、図４（ｃ）に示すように、鑑賞者の利き目が左目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して右目側のシャッターを閉、左目側のシャッターを開とし、第２映像情報に対して右目側のシャッターを開、左目側のシャッターを閉とし、第３映像情報に対して両目のシャッターを閉とするよう制御する。
【００７６】
図５（ａ）は、右目用映像情報および左目用映像情報の配列が、右目用映像情報、左目用映像情報を１フレームとして構成されている場合であり、図５（ｂ）は、鑑賞者の利き目が右目である場合に、図５（ｃ）は、鑑賞者の利き目が左目である場合に、それぞれ液晶シャッターの開閉動作を指示する情報を説明するための図である。
【００７７】
図５（ａ）に示すように、映像配列部４０が右目用映像情報および左目用映像情報を右目用映像情報、左目用映像情報の順序で配列し、その順に第１および２映像情報とした場合、図５（ｂ）に示すように、鑑賞者の利き目が右目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して右目側のシャッターを開、左目側のシャッターを閉とし、第２映像情報に対して右目側のシャッターを閉、左目側のシャッターを開とするよう制御する。
【００７８】
一方、図５（ｃ）に示すように、鑑賞者の利き目が左目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して両目のシャッターを閉とし、第２映像情報に対して右目側のシャッターを閉、左目側のシャッターを開とし、そのうえで、映像配列部４０が続けて抽出した右目用映像情報および左目用映像情報を、その順に第３および第４映像情報とした場合、第３映像情報に対して右目側のシャッターを開、左目側のシャッターを閉とし、第４映像情報に対して右目側のシャッターを閉、左目側のシャッターを開とするよう制御する。
【００７９】
図６（ａ）は、右目用映像情報および左目用映像情報の配列が、左目用映像情報、右目用映像情報を１フレームとして構成されている場合であり、図６（ｂ）は、鑑賞者の利き目が右目である場合に、図６（ｃ）は、鑑賞者の利き目が左目である場合に、それぞれ液晶シャッターの開閉動作を指示する情報を説明するための図である。
【００８０】
図６（ａ）に示すように、映像配列部４０が右目用映像情報および左目用映像情報を、左目用映像情報、右目用映像情報の順序で配列し、その順に第１および２映像情報とした場合、図６（ｂ）に示すように、鑑賞者の利き目が右目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して両目のシャッターを閉とし、第２映像情報に対して右目側のシャッターを開、左目側のシャッターを閉とし、そのうえで、映像配列部４０が続けて抽出した右目用映像情報および左目用映像情報を、その順に第３および第４映像情報とした場合、第３映像情報に対して右目側のシャッターを閉、左目側のシャッターを開とし、第４映像情報に対して右目側のシャッターを開、左目側のシャッターを閉とするよう制御する。
【００８１】
一方、図６（ｃ）に示すように、鑑賞者の利き目が左目である場合には、変更情報生成部５０は、自身が生成した変更情報に基づいて、液晶シャッター５００の開閉動作を次のように制御する。つまり、変更情報生成部５０は、液晶シャッター５００の開閉動作を、第１映像情報に対して右目側のシャッターを閉、左目側のシャッターを開とし、第２映像情報に対して右目側のシャッターを開、左目側のシャッターを閉とするよう制御する。
【００８２】
ここで、上記では、変更情報生成部５０は、操作部３００から、鑑賞者の利き目が左右何れの目であるかを示す利き目情報を取得するものと説明した。このとき、鑑賞者は、１人に限らず、複数存在してもよい。つまり、複数の鑑賞者が各々の利き目を示す利き目情報を入力する構成とすることもできる。
【００８３】
そして、変更情報生成部５０は、表示装置４００に対して変更情報を出力する。さらに、変更情報生成部５０は、表示装置４００に対して、映像配列部４０が規則的に配列した右目用映像情報および左目用映像情報を出力する。なお、表示装置４００は、映像配列部４０から、映像配列部４０が規則的に配列した右目用映像情報および左目用映像情報を取得する構成で実現されてもよい。
【００８４】
表示装置４００は、映像配列部４０あるいは変更情報生成部５０から、映像配列部４０が規則的に配列した右目用映像情報および左目用映像情報を取得する。そして、表示装置４００は、図示しない表示部に当該右目用映像情報および左目用映像情報に含まれる右目用映像および左目用映像を表示する。
【００８５】
具体的には、表示装置４００の図示しない表示制御部は、映像配列部４０あるいは変更情報生成部５０から取得した、映像配列部４０が規則的に配列した右目用映像情報および左目用映像情報を、鑑賞者が視認可能な状態で表示部に表示するための信号に変換する。そして、当該表示制御部は、変換後の右目用映像情報および左目用映像情報に含まれる右目用映像および左目用映像を表示部に表示する。なお、表示部は、ＴＶやプロジェクター等で構成される。
【００８６】
さらに、表示装置４００は、表示状態変更部（表示状態変更手段）７００の液晶シャッター５００に対して、変更情報生成部５０から取得した変更情報を出力する。なお、表示状態変更部７００は、変更情報生成部５０から変更情報を直接取得する構成で実現されてもよい。
【００８７】
ここで、表示状態変更部７００は、少なくとも、液晶シャッター５００と、メガネ６００と、を備える構成である。
【００８８】
液晶シャッター５００は、偏光板、液晶フィルタ、及び偏光板の三層構造を備え、液晶フィルタで２つの透過偏光光を切り替えることができるようになっており、メガネ６００に設けられている。なお、表示装置４００と液晶シャッター５００とはケーブル４によって接続されている。そして、液晶シャッター５００は、表示装置４００（あるいは変更情報生成部５０）から取得した変更情報に基づいて、液晶シャッター５００の開閉動作を行う。なお、詳細は図３〜図６を参照して説明したため、ここでの詳細説明は省略する。
【００８９】
メガネ６００は、液晶シャッター５００を介した所定のフレーム順（コマ順）からなる右目用映像および左目用映像を見るためのものである。
【００９０】
上記構成による効果として、以下の効果が期待できる。具体的には、複数の鑑賞者が各々の利き目を示す利き目情報を変更情報生成部５０に入力し、各鑑賞者が共通に１つの表示装置を使用していた場合、また、その表示装置４００にのみ液晶シャッター５００が設けられていた場合、その表示装置４００に設けられた液晶シャッター５００のみに基づいて右目用映像および左目用映像の表示・非表示が制御される。そうすると、鑑賞者によって左右の利き目が異なる場合に、各鑑賞者に対して、各鑑賞者の利き目を考慮して主映像、補助映像の順序で右目用映像および左目用映像を表示することができない。
【００９１】
この点、液晶シャッター５００がメガネ６００に設けられていると、鑑賞者によって左右の利き目が異なる場合においても、各鑑賞者の使用するメガネに設けられた液晶シャッター５００に対して個別に変更情報を入力することが可能となる。従って、表示状態変更部７００は、すべての鑑賞者に対して主映像、補助映像の順序で右目用映像および左目用映像を表示することができる。このような理由から、液晶シャッター５００は、メガネ６００に設けられていることが好ましい。
【００９２】
ここで、表示装置４００の表示部に右目用映像および左目用映像が表示されるタイミングと、変更情報に基づいて、メガネ６００に設けられた液晶シャッター５００の右目シャッターおよび左目シャッターが開閉するタイミングとは同期する必要がある。ただし、その同期を取る方法は周知の方法で行えばよいため、ここでの詳細説明は省略する。
【００９３】
また、図１では、表示状態変更部７００は、液晶シャッターを用いたものとして説明した。しかしながら、表示状態変更部７００は、ＲＧＢ波帯分割フィルタメガネ方式等の種々の時間分割立体表示方式を用いてもよい。
【００９４】
また、上記では、表示制御装置１は、左右映像分離部１０と、コマ映像分割部２０と、映像抽出部３０と、映像配列部４０と、変更情報生成部５０とを含むものとして説明した。しかしながら、左右映像分離部１０あるいはコマ映像分割部２０は、表示制御装置１の外部に設けられる構成で実現されてもよい。
【００９５】
また、上記では表示装置４００と液晶シャッター５００とはケーブル４によって接続されている例を示した。しかしながら、表示装置４００と液晶シャッター５００とは、無線により信号の送受信が行える構成で実現されてもよい。
【００９６】
〔表示制御装置１および記録再生装置１００の動作フローについて〕
次に、表示制御装置１および記録再生装置１００の動作フローを図７により説明する。図７は、表示制御装置１および記録再生装置１００の動作を説明するためのフローチャートである。
【００９７】
まず、Ｓ１０では、記録再生装置１００に情報記録媒体が挿入される。情報記録媒体には、複数の右目用映像情報および左目用映像情報が記録されている。従って、記録再生装置１００の情報再生部１１０は、それら右目用映像情報および左目用映像情報を再生する。
【００９８】
Ｓ２０では、左右映像分離部１０が、情報再生部１１０が再生した複数の右目用映像情報および左目用映像情報を取得して、右目用映像情報と左目用映像情報とに分離する。なお、その分離方法については上述しているため、ここでの詳細説明は省略する。
【００９９】
Ｓ３０では、コマ映像分割部２０が、左右映像分離部１０から、分離された右目用映像情報と左目用映像情報とを取得する。そして、コマ映像分割部２０は、取得した右目用映像情報および左目用映像情報を1コマごとに分割する。ここで、１コマとは、右目用映像および左目用映像をそれぞれの目に対して表示することで３次元表示を実現する場合における、右目用映像および左目用映像の最小単位の１コマに相当するものと考えてよい。そして、コマ映像分割部２０は、１コマごとに分割された右目用映像情報および左目用映像情報を記憶部２００に記憶させる。
【０１００】
Ｓ４０では、映像抽出部３０が、記憶部２００にアクセスして、１コマごとに分割された複数の右目用映像情報および左目用映像情報から、３次元表示に用いられる一対の右目用映像情報および左目用映像情報を抽出する。ここで、一対の右目用映像情報および左目用映像情報とは、３次元映像が表示される際に、互いに連続して表示される右目用映像情報および左目用映像情報を表す。
【０１０１】
Ｓ５０では、映像配列部４０が、映像抽出部３０から、一対の右目用映像情報および左目用映像情報を取得して、その右目用映像情報および左目用映像情報を規則的に配列する。なお、配列は、（ａ）右目用映像情報、左目用映像情報、右目用映像情報、（ｂ）左目用映像情報、右目用映像情報、左目用映像情報、（ｃ）右目用映像情報、左目用映像情報、（ｄ）左目用映像情報、右目用映像情報、といった構成が挙げられる。
【０１０２】
Ｓ６０では、変更情報生成部５０が、映像配列部４０から、映像配列部４０が規則的に配列した右目用映像情報および左目用映像情報を取得する。換言すると、変更情報生成部５０は、映像配列部４０が配列した右目用映像情報および左目用映像情報の配列構成を取得する。また、変更情報生成部５０は、操作部３００から、鑑賞者の利き目が左右何れの目であるかを示す利き目情報を取得する。
【０１０３】
そして、変更情報生成部５０は、映像配列部４０が配列した右目用映像情報および左目用映像情報の配列構成と、鑑賞者の利き目が左右何れの目であるかを示す利き目情報とに基づいて、後述する液晶シャッター５００が映像を表示・非表示に変更するための変更情報を生成する。
【０１０４】
そして、変更情報生成部５０は、表示装置４００に対して変更情報を出力する。さらに、変更情報生成部５０は、表示装置４００に対して、映像配列部４０が規則的に配列した右目用映像情報および左目用映像情報を出力する。なお、表示装置４００は、映像配列部４０から、映像配列部４０が規則的に配列した右目用映像情報および左目用映像情報を取得する構成で実現されてもよい。
【０１０５】
Ｓ７０では、表示装置４００が、映像配列部４０あるいは変更情報生成部５０から、映像配列部４０が規則的に配列した右目用映像情報および左目用映像情報を取得する。そして、表示装置４００は、図示しない表示部に当該右目用映像情報および左目用映像情報に含まれる右目用映像および左目用映像を表示する。さらに、表示装置４００は、表示状態変更部７００の液晶シャッター５００に対して、変更情報生成部５０から取得した変更情報を出力する。なお、表示状態変更部７００は、変更情報生成部５０から変更情報を直接取得する構成で実現されてもよい。
【０１０６】
そして、液晶シャッター５００は、表示装置４００あるいは変更情報生成部５０から取得した変更情報に基づいて、液晶シャッター５００の開閉動作を行う。
【０１０７】
Ｓ８０では、表示状態変更部７００は、上記変更情報に基づいて、また、３次元表示に用いられる右目用映像および左目用映像の配列構成と鑑賞者の利き目とを考慮して、当該右目用映像および左目用映像をそれぞれ表示・非表示の状態に変更する。すなわち、鑑賞者の利き目を右目とした場合、表示状態変更部７００は、最初に右目用映像を表示状態に、左目用映像を非表示の状態にし、その次に、補助映像を表示状態にし、主映像を非表示の状態に変更することができる。つまり、図３から図６を参照して説明した液晶シャッター５００の開閉動作にしたがい、表示状態変更部７００は、鑑賞者に対して、最初に利き目の側の映像を、次に利き目とは反対側の映像を表示することができる。
【０１０８】
〔表示制御装置１による効果〕
以下、表示制御装置１によって得られる効果を説明する。
【０１０９】
上記構成によれば、表示制御装置１は、３次元表示に用いられる右目用映像および左目用映像をそれぞれ表示・非表示の状態に変更することが可能な表示状態変更部７００の液晶シャッター５００を制御するためのものである。
【０１１０】
そして、液晶シャッター５００は、変更情報生成部５０が生成する変更情報によって右目用映像および左目用映像の表示・非表示の状態が変更される。そして、その変更情報は、映像抽出部３０が３次元表示に用いられる一対の右目用映像情報および左目用映像情報を複数の右目用映像情報および左目用映像情報から抽出して、映像配列部４０が当該抽出された右目用映像情報および左目用映像情報を規則的に配列した配列構成と、鑑賞者の利き目が左右何れの目であるかを示す利き目情報とに基づいて生成される。
【０１１１】
従って、表示状態変更部７００は、３次元表示に用いられる右目用映像および左目用映像の配列構成と鑑賞者の利き目とを考慮して、当該右目用映像および左目用映像をそれぞれ表示・非表示の状態に変更することが可能となる。すなわち、鑑賞者の利き目を右目とした場合、表示状態変更部７００は、最初に右目用映像（以下、利き目の側の映像を「主映像」と呼ぶ場合もある。）を表示状態に、左目用映像（以下、利き目とは反対側の映像を「補助映像」と呼ぶ場合もある。）を非表示の状態にし、その次に、補助映像を表示状態にし、主映像を非表示の状態に変更することができる。
【０１１２】
それゆえ、表示制御装置１は、主映像と補助映像とをその順序で表示させることができるため、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができるという効果を奏する。
【０１１３】
さらに、映像抽出部３０が、情報記録媒体に記録された複数の右目用映像情報および左目用映像情報から、３次元表示に用いられる一対の右目用映像情報および左目用映像情報を抽出してくる場合等において、上記構成とすることにより、鑑賞者の利き目に応じて、右目用映像情報および左目用映像情報の配列を変えた映像情報を２重に情報記録媒体に記録しておく必要がなくなるため、当該情報記録媒体の製造コストを低減することができるという効果も奏する。
【０１１４】
さらに、表示制御装置１では、映像配列部４０は、映像抽出部３０が抽出した一対の右目用映像情報および左目用映像情報を、
（１）右目用映像情報、左目用映像情報、右目用映像情報
（２）左目用映像情報、右目用映像情報、左目用映像情報
（３）右目用映像情報、左目用映像情報
（４）左目用映像情報、右目用映像情報
の何れか１つに従って配列することが好ましい。
【０１１５】
上記構成（１）、（２）では、映像配列部４０は、映像抽出部３０が抽出した右目用映像情報および左目用映像情報を規則的に３つの映像情報に配列する。それゆえ、鑑賞者の利き目に従って鑑賞者に対して表示しない映像を設けることができる。
【０１１６】
従って、表示制御装置１は、鑑賞者の利き目が右目あるいは左目であるかを考慮して、最初に鑑賞者の脳に認識させたい映像を認識させることができるため、鑑賞者に３Ｄ酔いを引き起こす事態を未然に防止することができる。
【０１１７】
また、上記構成（３）、（４）では、映像配列部４０は、映像抽出部３０が抽出した右目用映像情報および左目用映像情報を規則的に２つの映像情報に配列する。これは、右目用映像および左目用映像が、映像の違い（差）を認識できないほどに細かくコマ割りされている場合に適用可能な配列である。
【０１１８】
このように、表示制御装置１では、映像配列部４０は、右目用映像および左目用映像に基づいて、映像抽出部３０が抽出した一対の右目用映像情報および左目用映像情報を種々のバリエーションで規則的に配列することができる。そして、表示制御装置１は、何れの配列構成であっても、鑑賞者の利き目が右目あるいは左目であるかを考慮して、最初に鑑賞者の脳に認識させたい映像を認識させることができる。
【０１１９】
それゆえ、表示制御装置１は、鑑賞者に３Ｄ酔いを引き起こす事態を未然に防止することができる。
【０１２０】
さらに、表示制御装置１では、表示状態変更部７００が、左右の目に対応付けられた２つのシャッターを有する液晶シャッター５００を含む場合に、変更情報生成部５０は、生成した変更情報に基づいて、シャッターの開閉動作を制御することが好ましい。
【０１２１】
上記構成によれば、表示状態変更部７００は、左右の目に対応付けられた２つのシャッターを有する液晶シャッター５００を含む構成で実現されてもよい。
【０１２２】
この場合、変更情報生成部５０は、生成した変更情報に基づいて、上記２つのシャッターの開閉動作を制御することができ、これにより、表示制御装置１は、主映像と補助映像とをその順序で表示させることができ、３Ｄ酔いの一因を解消することができる。
そして、上記各構成により、利き目が左右何れの目であっても、鑑賞者に対して主映像と補助映像とをその順序で表示させることができる。
【０１２３】
それゆえ、表示制御装置１は、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができるという効果を奏する。
【０１２４】
さらに、表示制御装置１では、変更情報生成部５０は、利き目情報を複数の鑑賞者から取得可能である構成とすることができる。
【０１２５】
従って、変更情報生成部５０は、映像配列部４０が配列した右目用映像情報および左目用映像情報の配列構成と、複数の鑑賞者の利き目が左右何れの目であるかを示す利き目情報とに基づいて、表示状態変更部７００が右目用映像および左目用映像の表示・非表示の状態を変更するための変更情報を生成することができる。
【０１２６】
それゆえ、変更情報生成部５０は、複数の鑑賞者それぞれに関する変更情報を生成することが可能となり、鑑賞者ごとの変更情報を用いて表示状態変更部７００を制御する構成を実現することが可能となるという効果を奏する。
【０１２７】
さらに、表示制御装置１では、複数の鑑賞者がそれぞれ、表示状態変更部７００を使用する場合に、変更情報生成部５０は、表示状態変更部７００それぞれが右目用映像および左目用映像を表示・非表示の状態に変更するための変更情報を生成する構成とすることができる。
【０１２８】
上記構成によれば、複数の鑑賞者それぞれが表示状態変更部７００を使用する場合に、変更情報生成部５０は、映像配列部４０が配列した右目用映像情報および左目用映像情報の配列構成と、複数の鑑賞者の利き目が左右何れの目であるかを示す利き目情報とに基づいて、表示状態変更部７００それぞれが右目用映像および左目用映像を表示・非表示の状態に変更する変更情報を生成する。
【０１２９】
それゆえ、表示制御装置１は、複数の鑑賞者それぞれが表示状態変更部７００を使用し、かつ、その使用が同時に行われるような場合において、たとえ各鑑賞者の利き目が異なるとしても、すべての鑑賞者の３Ｄ酔いを未然に防止することができるという効果を奏する。
【０１３０】
なお、表示制御装置１は、コンピュータによって実現してもよく、この場合には、コンピュータを映像抽出部３０、映像配列部４０、変更情報生成部５０として動作させることにより表示制御装置１をコンピュータにて実現させる表示制御プログラム、およびそれを記録したコンピュータ読み取り可能な記録媒体も、本発明の範疇に入る。
【０１３１】
さらに、表示制御装置１を備えた記録再生装置１００も本発明の範疇に入る。
〔実施の形態２（情報記録媒体がＢＤの場合の実施例）〕
上記では、記録再生装置１００に挿入される情報記録媒体としては、例えば、磁気テープやカセットテープ等のテープ系、あるいはマスクＲＯＭ／ＥＰＲＯＭ／ＥＥＰＲＯＭ／フラッシュＲＯＭ等の半導体メモリ系などを用いることができるものとして説明した。
【０１３２】
しかしながら、本実施の形態に係る記録再生装置１５０に挿入される情報記録媒体は、ＢＤ（Ｂｌｕ−Ｒａｙ（登録商標）  Ｄｉｓｃ）あるいはＤＶＤ（Ｄｉｇｉｔａｌ Ｖｅｒｓａｔｉｌｅ Ｄｉｓｃ）であってもよい。以下、録再生装置１５０に挿入される情報記録媒体がＢＤあるいはＤＶＤである場合における、表示制御装置１、および、表示制御装置１を備えた記録再生装置１５０の概要について説明する。
【０１３３】
図８は、表示制御装置１を備える記録再生装置１５０の全体の概要構成を示すブロック図である。なお、図１等を参照して説明した内容については説明を省略する。また、以下の説明では、記録再生装置１５０に挿入される情報記録媒体はＢＤであるものとして説明する。
【０１３４】
記録再生装置１５０は、少なくとも、表示制御装置１と、情報記録再生部１２０と、を備える構成となっている。
【０１３５】
情報記録再生部１２０は、記録再生装置１５０に挿入されたＢＤに記録されている情報を再生する機能と、そのＢＤに情報の記録をする機能とを備える。すなわち、情報記録再生部１２０は、ＢＤに記録された複数の右目用映像情報および左目用映像情報を再生し、かつ、映像配列部４０および／または変更情報生成部５０から出力される情報をＢＤに対して記録するものである。
【０１３６】
ここで、情報記録再生部１２０の詳細を図９により説明する。図９は、情報記録再生部１２０の全体の概要構成を示すブロック図である。
【０１３７】
図９に示すように、情報記録再生部１２０は、主としてディスク装填認識部１２１と、格納部１２２と、メモリ（一次記録メモリ）１２３と、操作部１２４と、記録再生回路群１２５と、光ヘッド１２６と、光ピックアップ１２７と、制御部１２８とを備えている。
【０１３８】
また、記録再生回路群１２５は、主としてピックアップ駆動回路１２９と、レーザ駆動回路１３０と、再生回路１３１とを備えている。
【０１３９】
図９に示すように、情報記録再生部１２０では、回転するＢＤの図示しないトラックへ、制御部１２８がピックアップ駆動回路１２９を介して光ピックアップ１２７を移動させるようになっている。
【０１４０】
光ピックアップ１２７には、光ヘッド１２６が設けられている。そして、制御部１２８がレーザ駆動回路１３０を介して記録条件を設定し、光ヘッド１２６から記録用のレーザビームをＢＤの記録部位に照射することによって、ＢＤのトラックに情報が記録されるようになっている。
【０１４１】
また、情報記録再生部１２０は、制御部１２８がピックアップ駆動回路１２９を介して光ピックアップ１２７をＢＤの記録部位へ移動させる。そして、制御部１２８がレーザ駆動回路１３０を介して再生条件を設定し、光ヘッド１２６から再生用のレーザビームをＢＤに照射するようになっている。
【０１４２】
光ヘッド１２６が検出した反射光は、再生回路１３１にて再生信号に変換され、制御部１２８に入力される。これにより、情報記録再生部１２０は、ＢＤのトラック（複数のセクタからなる）に記録された情報を再生するようになっている。
【０１４３】
また、情報記録再生部１２０には、ディスク装填認識部１２１が設けられている。ディスク装填認識部１２１は、ＢＤの装填を検出するためのものであり、例えば、各種センサが例示できるが、ＢＤの装填を検出できるものであれば、どのようなセンサを用いても良い。また、ディスク装填認識部１２１は、検出した結果を検出信号として制御部１２８へ出力するようになっている。
【０１４４】
格納部１２２は、制御部１２８が実行する（１）各部の制御プログラム、（２）ＯＳプログラム、（３）アプリケーションプログラム、および、（４）これらプログラムを実行するときに読み出す各種データを記録するものである。格納部１２２は、例えばＲＯＭ（Read Only Memory）フラッシュメモリなどの不揮発性の記憶装置によって構成されるものである。
【０１４５】
メモリ１２３は、例えばＲＡＭ（Random Access Memory）等で構成してよく、ＢＤから読み出した複数の右目用映像情報および左目用映像情報を記憶するものである。
【０１４６】
操作部１２４は、鑑賞者が、情報記録再生部１２０に各種の操作命令を入力するためのものであり、例えば、操作ボタンとそのインターフェース、マウス、タッチパッド、リモコンなどが例示できる。なお、操作部１２４は、操作部３００が兼用される構成で実現されてもよい。
【０１４７】
そして、情報記録再生部１２０は、ＢＤから読み出した複数の右目用映像情報および左目用映像情報の再生情報を、制御部１２８を介して、表示制御装置１の左右映像分離部１０に入力する。また、情報記録再生部１２０は、映像配列部４０および／または変更情報生成部５０から出力された情報を、制御部１２８を介して、ＢＤに対して記録する。
【０１４８】
次に、表示制御装置１の映像配列部４０及び変更情報生成部５０について説明する。
【０１４９】
上述したように、映像配列部４０は、映像抽出部３０から、一対の右目用映像情報および左目用映像情報を取得して、その右目用映像情報および左目用映像情報を規則的に配列する。そして、映像配列部４０は、その規則的に配列した右目用映像情報および左目用映像情報を、変更情報生成部５０と情報記録再生部１２０とに出力する。
【０１５０】
また、変更情報生成部５０は、映像配列部４０が配列した右目用映像情報および左目用映像情報の配列構成と、鑑賞者の利き目が左右何れの目であるかを示す利き目情報とに基づいて、液晶シャッター５００が映像を表示・非表示に変更するための変更情報を生成する。そして、変更情報生成部５０は、その変更情報を表示装置４００に出力する。そして、変更情報生成部５０は、さらに当該変更情報を情報記録再生部１２０にも出力する。
【０１５１】
そのうえで、情報記録再生部１２０は、映像配列部４０から、映像配列部４０が規則的に配列した右目用映像情報および左目用映像情報を取得すると共に、変更情報生成部５０から変更情報を取得する。そして、情報記録再生部１２０は、その取得した各種情報を、記録再生装置１５０に挿入されたＢＤのＲ層あるいはＲＥ層に記録する。
【０１５２】
次に、表示制御装置１、および、表示制御装置１を備えた記録再生装置１５０による効果を説明する。
【０１５３】
上記構成によれば、情報記録再生部１２０は、映像配列部４０から、映像配列部４０が規則的に配列した右目用映像情報および左目用映像情報を取得すると共に、変更情報生成部５０から変更情報を取得する。そして、情報記録再生部１２０は、その取得した各種情報を、記録再生装置１５０に挿入されたＢＤのＲ層あるいはＲＥ層に記録する。
【０１５４】
従って、情報記録再生部１２０は、記録再生装置１５０から排出されたＢＤが再び記録再生装置１５０に挿入されるときには、ＢＤのＲ層あるいはＲＥ層に記録された上記各種情報を読み取ることができる。そして、記録再生装置１５０の制御部１２８は、当該各種情報を、左右映像分離部１０およびコマ映像分割部２０を介することなく、記憶部２００へ直接記憶させることもできる。これにより、左右映像分離部１０およびコマ映像分割部２０における処理動作を省略することができるため、表示制御装置１における処理時間の短縮化、記録再生装置１５０に対する鑑賞者ビリティーの向上を図ることができる。
【０１５５】
さらに、上記各種情報をＢＤのＲ層あるいはＲＥ層に記録させておくことにより、そのＢＤを記録再生装置１５０と同様の機能を備えた他の記録再生装置に当該ＢＤを挿入することにより、当該他の記録再生装置においても、表示制御装置１における処理時間の短縮化、記録再生装置１５０に対するユーザビリティーの向上を図ることができる。
〔実施の形態３〕
以下、図面を参照しつつ、本実施形態に係る表示制御装置２、および表示制御装置２に係る表示制御方法について説明する。以下の説明では、上記と同一の部品および構成要素には同一の符号を付してあり、それらの名称および機能も同じである。従って、それらについての詳細な説明は繰り返さない。
【０１５６】
ここで、本実施形態に係る表示制御装置２を概略的に説明すれば以下のとおりである。すなわち、表示制御装置２は、表示装置４００に表示される映像を鑑賞者に対して表示・非表示の状態に変更することが可能な右目用シャッターおよび左目用シャッターを有する液晶シャッター５００の動作を制御するものである。
【０１５７】
その表示制御装置２は、表示装置４００に表示される映像に関する映像情報と、鑑賞者が希望する映像の鑑賞態様を示す鑑賞態様情報とに基づいて、表示装置４００に表示される映像のうち、鑑賞態様に必要なものとして鑑賞者に対して表示する表示映像と、鑑賞態様に不必要なものとして鑑賞者に対して表示しない非表示映像とを判断する表示／非表示映像判断部（表示／非表示映像判断手段）７０を備える。さらに、表示制御装置２は、表示／非表示映像判断部７０によって非表示映像と判断された映像が表示装置４００に表示されるときに、右目用シャッターおよび左目用シャッターを閉状態に動作させるシャッター動作制御部（シャッター動作制御手段）８０を備える構成である。
【０１５８】
これにより、表示制御装置２は、各々の鑑賞者に適した態様で映像を鑑賞させることができるという効果を奏する。
【０１５９】
以下、表示制御装置２の概略を説明する。
【０１６０】
〔表示制御装置２の概略構成〕
図１０は、表示制御装置２を備えた記録再生装置１６０の概略構成を示すブロック図である。図示するように、記録再生装置１６０は、少なくとも、表示制御装置２と、情報再生部１１０と、を備える構成となっている。
【０１６１】
記録再生装置１６０は、光ディスク等の情報記録媒体に対して情報の記録・再生を行う装置である。その情報記録媒体には、複数の右目用映像および左目用映像に関する情報である右目用映像情報および左目用映像情報が記録されている。
【０１６２】
ここで、右目用映像情報および左目用映像情報は、例えば、右目用映像および左目用映像の映像データ、または、右目用映像および左目用映像の属性を示す属性情報（右目あるいは左目用映像の何れであるかを示す情報、右目用映像と左目用映像との視差角を示す視差角情報など）等を含む。
【０１６３】
情報再生部１１０は、記録再生装置１６０に挿入された情報記録媒体に記録されている情報を再生するためのものである。すなわち、上記情報記録媒体には複数の右目用映像情報および左目用映像情報が記録されているため、情報再生部１１０は、それら右目用映像情報および左目用映像情報を再生するためのものである。なお、情報再生部１１０は、従来の記録再生装置における情報再生方法を用いればよいため、ここでの詳細説明は省略する。
【０１６４】
表示制御装置２は、映像情報取得部６０と、表示／非表示映像判断部７０と、シャッター動作制御部８０と、を備える。
【０１６５】
映像情報取得部６０は、情報再生部１１０によって再生された右目用映像情報および左目用映像情報を取得する。そして、映像情報取得部６０は、取得した右目用映像情報および左目用映像情報を記憶部２００に記憶させる。あるいは、映像情報取得部６０は、取得した右目用映像情報および左目用映像情報を表示／非表示映像判断部７０に出力する。
【０１６６】
表示／非表示映像判断部７０は、映像情報取得部６０または記憶部２００から、右目用映像情報および左目用映像情報を取得する。さらに、表示／非表示映像判断部７０は、操作部３００から、鑑賞者が希望する映像の鑑賞態様を示す鑑賞態様情報を取得する。
【０１６７】
ここで、鑑賞態様情報とは、例えば、表示装置に３次元用映像が表示される場合には、鑑賞者が３次元表示（あるいは、２次元表示）による映像の鑑賞を希望する旨の情報を表す。あるいは、鑑賞態様情報は、例えば、表示装置にチャンネルＡ／Ｂ／Ｃ・・が表示される場合には、鑑賞者がＡチャンネルの映像の鑑賞を希望する旨の情報を表す。あるいは、鑑賞態様情報は、例えば、複数の参加者がある対戦ゲームを行っている場合には、参加者が特定のゲーム画面に係る映像の鑑賞を希望する旨の情報を表す。
【０１６８】
このように、鑑賞態様情報は、鑑賞者が希望する映像の鑑賞態様を示すものであって、上記の鑑賞態様情報を一例に、種々の鑑賞態様情報が考えられる。
【０１６９】
操作部３００は、鑑賞者が、表示／非表示映像判断部７０に鑑賞態様情報を入力するためのものであり、例えば、表示制御装置２を遠隔操作するリモコンや、表示制御装置２自体に設けられた操作ボタン、あるいは、表示制御装置２に接続された、マウスやキーボードなどで構成されている。操作部３００を用いて鑑賞者により入力された指示信号は、図示しない入出力制御部を介して、表示／非表示映像判断部７０に送られる。これにより、鑑賞者は表示／非表示映像判断部７０に鑑賞態様情報を入力することができる。
【０１７０】
このように、表示／非表示映像判断部７０は、映像情報取得部６０または記憶部２００から、表示装置４００に表示される映像に関する右目用映像情報および左目用映像情報を取得する。また、表示／非表示映像判断部７０は、操作部３００から鑑賞態様情報を取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。そのうえで、表示／非表示映像判断部７０は、非表示映像に係る非表示映像情報をシャッター動作制御部８０に出力する。このとき、表示／非表示映像判断部７０は、表示映像に係る表示映像情報を併せてシャッター動作制御部８０に出力してもよい。
【０１７１】
シャッター動作制御部８０は、表示／非表示映像判断部７０から、非表示映像情報（および、表示映像情報）を取得する。そして、シャッター動作制御部８０は、表示／非表示映像判断部７０によって非表示映像と判断された映像が表示装置４００に表示されるときに、液晶シャッター５００の右目用シャッターおよび左目用シャッターを閉状態に動作させる信号（以下、「閉状態動作信号」と称する。）を液晶シャッター５００に出力する。なお、シャッター動作制御部８０が表示装置４００に閉状態動作信号を出力し、その閉状態動作信号が、表示装置４００と液晶シャッター５００との間に接続されたケーブルを介して、液晶シャッター５００に出力される構成で実現されてもよい。
【０１７２】
ここで、上記では、記録再生装置１６０は、光ディスク等の情報記録媒体に対して情報の記録・再生を行う装置であり、図１０では、その一例として、記録再生装置１６０は、光ディスクから右目用映像情報および左目用映像情報を取得するものとして説明した。
【０１７３】
しかしながら、記録再生装置１６０は、右目用映像情報および左目用映像情報を、他の方法（例えば、電波）により取得する構成で実現されてもよい。
【０１７４】
さらに、上記では、表示／非表示映像判断部７０は、映像情報取得部６０または記憶部２００から、表示装置４００に表示される映像に関する右目用映像情報および左目用映像情報を取得するものとして説明した。
【０１７５】
しかしながら、表示／非表示映像判断部７０が取得する映像情報は、右目用映像情報および左目用映像情報に限られない。例えば、記録再生装置１６０が電波によって表示装置に表示される映像に係る映像情報を取得する場合には、表示／非表示映像判断部７０が取得する情報は２Ｄ映像となる。また、鑑賞者がテレビゲームをしている場合には、表示／非表示映像判断部７０が取得する情報はゲーム映像情報となる。
【０１７６】
このように、表示／非表示映像判断部７０が取得する映像情報は、右目用映像情報および左目用映像情報に限られず、種々の映像情報が考えられる。
【０１７７】
さらに、上記では、表示／非表示映像判断部７０は、操作部３００から鑑賞態様情報を取得するものとして説明した。しかしながら、表示／非表示映像判断部７０は、予め記憶部２００に記憶された鑑賞態様情報を、記憶部２００から取得する構成で実現されてもよい。
【０１７８】
〔表示制御装置２および記録再生装置１６０の動作フローについて〕
次に、表示制御装置２および記録再生装置１６０の動作フローを図１１により説明する。図１１は、表示制御装置２および記録再生装置１６０の動作を説明するためのフローチャートである。
【０１７９】
まず、Ｓ１００では、記録再生装置１６０に情報記録媒体が挿入される。情報記録媒体には、複数の右目用映像情報および左目用映像情報が記録されている。従って、記録再生装置１６０の情報再生部１１０は、それら右目用映像情報および左目用映像情報を再生する。そして、映像情報取得部６０は、情報再生部１１０によって再生された右目用映像情報および左目用映像情報を取得する。
【０１８０】
Ｓ１１０では、情報再生部１１０によって再生された右目用映像情報および左目用映像情報を映像情報取得部６０が取得し、その取得した右目用映像情報および左目用映像情報を表示／非表示映像判断部７０に出力する。その結果、表示／非表示映像判断部７０は、右目用映像情報および左目用映像情報を取得する。
【０１８１】
Ｓ１２０では、表示／非表示映像判断部７０は、操作部３００から鑑賞態様情報を取得する。
【０１８２】
Ｓ１３０では、表示／非表示映像判断部７０は、表示装置４００に表示される映像に関する右目用映像情報および左目用映像情報と、操作部３００を介して取得した鑑賞態様情報とに基づいて、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０１８３】
Ｓ１４０では、シャッター動作制御部８０は、表示／非表示映像判断部７０から、非表示映像情報（および、表示映像情報）を取得する。そして、シャッター動作制御部８０は、表示／非表示映像判断部７０によって非表示映像と判断された映像が表示装置４００に表示されるときに、液晶シャッター５００の右目用シャッターおよび左目用シャッターを閉状態に動作させる閉状態動作信号を液晶シャッター５００に出力する。その結果、右目用シャッターおよび左目用シャッターが閉となる。
【０１８４】
Ｓ１５０では、右目用シャッターおよび左目用シャッターが閉状態となることによって、鑑賞者は、鑑賞態様に不必要な非表示映像を鑑賞することなく、表示映像を鑑賞することができる。それにより、鑑賞者は、各々に適した鑑賞態様で表示映像を鑑賞することができる。
【０１８５】
このようにして、表示制御装置２および記録再生装置１６０の動作が実行される。
【０１８６】
次に、表示／非表示映像判断部７０およびシャッター動作制御部８０に係る動作の詳細を実施例１〜３として以下に説明する。
【０１８７】
〔実施例１（メガネＰは３次元表示、メガネＱは２次元表示を鑑賞）〕
まず、鑑賞者が２人存在し、各々の鑑賞者が、メガネＰ、メガネＱを着用している場合を考える。さらに、鑑賞態様として、メガネＰを着用した鑑賞者は３次元表示映像の鑑賞を希望し、メガネＱを着用した鑑賞者は２次元表示映像の鑑賞を希望しているものとする。このとき、表示／非表示映像判断部７０およびシャッター動作制御部８０の動作を図１２により説明する。
【０１８８】
図１２は、表示／非表示映像判断部７０およびシャッター動作制御部８０の動作を説明するための図であり、同図（ａ）は、映像Ａ及び映像Ｂが表示装置４００に表示されるタイミングを示す図であり、同図（ｂ）は、メガネＰのシャッター制御を示す図であり、同図（ｃ）は、メガネＱのシャッター制御を示す図である。
【０１８９】
まず、同図（ａ）に示すように、映像Ａ及び映像Ｂが交互に表示装置４００に表示される。なお、図中の「〇」は映像が表示装置４００に表示され、「×」は映像が表示装置４００に表示されないことを示す。また、映像Ａおよび映像Ｂはそれぞれ、３次元表示に用いられる右目用映像および左目用映像であるものとする。この場合において、同図（ｂ）および同図（ｃ）により、表示／非表示映像判断部７０およびシャッター動作制御部８０の動作を説明する。
【０１９０】
まず、メガネＰについて、表示／非表示映像判断部７０およびシャッター動作制御部８０の動作を同図（ｂ）により説明する。
【０１９１】
表示／非表示映像判断部７０は、右目用映像情報および左目用映像情報と、メガネＰを着用した鑑賞者が３次元表示による映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０１９２】
このとき、メガネＰを着用した鑑賞者は３次元表示による映像の鑑賞を希望している。従って、右目用シャッターおよび左目用シャッターが同時に閉状態となることはない。つまり、鑑賞態様に不必要なものとして鑑賞者に対して表示しない非表示映像は、存在しない。
【０１９３】
しかしながら、右目用映像（映像Ａ）が表示装置４００に表示されるときには左目用シャッターが閉となり、左目用映像（映像Ｂ）が表示装置４００に表示されるときには右目用シャッターが閉となる必要がある。そこで、この場合には、表示／非表示映像判断部７０は、そのように右目用シャッターおよび左目用シャッターの開閉動作を制御するための信号（以下、「開閉状態動作信号」と称する。）を生成して、その開閉状態動作信号をシャッター動作制御部８０に出力すればよい。これにより、シャッター動作制御部８０は、その開閉状態動作信号に基づいて、映像Ａが表示装置４００に表示されるときには左目用シャッターを閉とし、映像Ｂが表示装置４００に表示されるときには右目用シャッターを閉状態に動作させる。
【０１９４】
このように、メガネＰについて、表示／非表示映像判断部７０およびシャッター動作制御部８０が動作することにより、図１２（ｂ）に示す右目用シャッターおよび左目用シャッターの開閉動作が行われる。
【０１９５】
次に、メガネＱについて、表示／非表示映像判断部７０およびシャッター動作制御部８０の動作を同図（ｃ）により説明する。
【０１９６】
表示／非表示映像判断部７０は、右目用映像情報および左目用映像情報と、メガネＱを着用した鑑賞者が２次元表示による映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０１９７】
このとき、メガネＱを着用した鑑賞者は２次元表示による映像の鑑賞を希望している。従って、表示／非表示映像判断部７０は、右目用映像（映像Ａ）あるいは左目用映像（映像Ｂ）の何れか一方の映像を、鑑賞態様に不必要なものとして鑑賞者に対して表示しない非表示映像と判断する。
【０１９８】
そして、シャッター動作制御部８０は、表示／非表示映像判断部７０によって非表示映像と判断された映像（図（ｃ）では、右目用映像）が表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、左目用映像が表示装置４００に表示されるときには右目用シャッターおよび左目用シャッターを開とし、右目用映像が表示装置４００に表示されるときには右目用シャッターおよび左目用シャッターを閉とする。
【０１９９】
なお、この場合には、表示／非表示映像判断部７０は、表示映像（図（ｃ）では、左目用映像）が表示装置４００に表示されるときに、液晶シャッター５００の右目用シャッターおよび左目用シャッターを開状態に動作させる開閉状態動作信号を液晶シャッター５００に出力する。これにより、シャッター動作制御部８０は、映像Ａが表示装置４００に表示されるときには右目用シャッターおよび左目用シャッターを閉状態に、映像Ｂが表示装置４００に表示されるときには右目用シャッターおよび左目用シャッターを開状態に動作させる。
【０２００】
このように、メガネＱについて、表示／非表示映像判断部７０およびシャッター動作制御部８０が動作することにより、図１２（ｃ）に示す右目用シャッターおよび左目用シャッターの開閉動作が行われる。
【０２０１】
以上、図１２により、メガネＰおよびメガネＱの両方について、表示／非表示映像判断部７０およびシャッター動作制御部８０の動作を説明した。上記説明から分かるように、メガネＰ、メガネＱを着用した鑑賞者の鑑賞態様がそれぞれ異なる場合においても、表示制御装置２は、各々の鑑賞者に適した態様で映像を鑑賞させることができる。
【０２０２】
〔実施例２（異なる２Ｄ画面を鑑賞）〕
次に、鑑賞者が２人存在し、各々の鑑賞者が、メガネＰ、メガネＱを着用している場合を考える。さらに、鑑賞態様として、メガネＰを着用した鑑賞者は２次元表示映像である映像Ａの鑑賞を希望し、メガネＱを着用した鑑賞者は２次元表示映像である映像Ｂの鑑賞を希望しているものとする。このとき、表示／非表示映像判断部７０およびシャッター動作制御部８０の動作を図１３により説明する。なお、図１２を参照して説明した内容と同一の内容については説明を繰り返さない。
【０２０３】
図１３は、表示／非表示映像判断部７０およびシャッター動作制御部８０の動作を説明するための図であり、同図（ａ）は、映像Ａ及び映像Ｂが表示装置４００に表示されるタイミングを示す図であり、同図（ｂ）は、メガネＰのシャッター制御を示す図であり、同図（ｃ）は、メガネＱのシャッター制御を示す図である。
【０２０４】
まず、同図（ａ）に示すように、映像Ａ及び映像Ｂが交互に表示装置４００に表示される。この状態において、同図（ｂ）および同図（ｃ）により、表示／非表示映像判断部７０およびシャッター動作制御部８０の動作を説明する。
【０２０５】
まず、メガネＰについて、表示／非表示映像判断部７０およびシャッター動作制御部８０の動作を同図（ｂ）により説明する。
【０２０６】
表示／非表示映像判断部７０は、映像Ａおよび映像Ｂに係る映像情報と、メガネＰを着用した鑑賞者が映像Ａの鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２０７】
このとき、メガネＰを着用した鑑賞者は映像Ａの鑑賞を希望している。従って、表示／非表示映像判断部７０は、映像Ｂを、鑑賞態様に不必要なものとして鑑賞者に対して表示しない非表示映像と判断する。
【０２０８】
そこで、シャッター動作制御部８０は、表示／非表示映像判断部７０によって非表示映像と判断された映像Ｂが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ｂが表示装置４００に表示されるときには右目用シャッターおよび左目用シャッターを閉とし、映像Ａが表示装置４００に表示されるときには右目用シャッターおよび左目用シャッターを開とする。
【０２０９】
このように、メガネＰについて、表示／非表示映像判断部７０およびシャッター動作制御部８０が動作することにより、図１２（ｂ）に示す右目用シャッターおよび左目用シャッターの開閉動作が行われる。
【０２１０】
次に、メガネＱについて、表示／非表示映像判断部７０およびシャッター動作制御部８０の動作を同図（ｃ）により説明する。
【０２１１】
表示／非表示映像判断部７０は、映像Ａおよび映像Ｂに係る映像情報と、メガネＱを着用した鑑賞者が映像Ｂの鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２１２】
このとき、メガネＱを着用した鑑賞者は映像Ｂの鑑賞を希望している。従って、表示／非表示映像判断部７０は、映像Ａを、鑑賞態様に不必要なものとして鑑賞者に対して表示しない非表示映像と判断する。
【０２１３】
シャッター動作制御部８０は、表示／非表示映像判断部７０によって非表示映像と判断された映像Ａが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ａが表示装置４００に表示されるときには右目用シャッターおよび左目用シャッターを閉とし、映像Ｂが表示装置４００に表示されるときには右目用シャッターおよび左目用シャッターを開とする。
【０２１４】
このように、メガネＱについて、表示／非表示映像判断部７０およびシャッター動作制御部８０が動作することにより、図１３（ｃ）に示す右目用シャッターおよび左目用シャッターの開閉動作が行われる。
【０２１５】
以上、図１３により、メガネＰおよびメガネＱの両方について、表示／非表示映像判断部７０およびシャッター動作制御部８０の動作を説明した。上記説明から分かるように、メガネＰ、メガネＱを着用した鑑賞者の鑑賞態様がそれぞれ異なる場合においても、表示制御装置２は、各々の鑑賞者に適した態様で映像を鑑賞させることができる。
【０２１６】
なお、上記の映像Ａおよび映像Ｂとしては、例えばチャンネルＡ／チャンネルＢに係る映像や、ゲームＡ／ゲームＢに係る映像など、種々のバリエーションが想定できる。
【０２１７】
〔実施例３（メガネＰは３Ｄ、メガネＱは両目用２Ｄ映像を鑑賞）〕
続いて、鑑賞者が２人存在し、各々の鑑賞者が、メガネＰ、メガネＱを着用している場合を考える。さらに、鑑賞態様として、メガネＰを着用した鑑賞者は３次元表示映像の鑑賞を希望し、メガネＱを着用した鑑賞者は２次元表示映像（両目用２次元映像）の鑑賞を希望しているものとする。このとき、表示／非表示映像判断部７０およびシャッター動作制御部８０の動作を図１４により説明する。なお、図１２等を参照して説明した内容と同一の内容については説明を繰り返さない。
【０２１８】
図１４は、表示／非表示映像判断部７０およびシャッター動作制御部８０の動作を説明するための図であり、同図（ａ）は、映像Ａ〜映像Ｃが表示装置４００に表示されるタイミングを示す図であり、同図（ｂ）は、メガネＰのシャッター制御を示す図であり、同図（ｃ）は、メガネＱのシャッター制御を示す図である。
【０２１９】
まず、同図（ａ）に示すように、映像Ａ〜映像Ｃが交互に表示装置４００に表示される。なお、映像Ａおよび映像Ｂはそれぞれ、３次元表示に用いられる右目用映像および左目用映像であり、映像Ｃは、２次元表示に用いられる両目用２次元映像であるものとする。この状態において、同図（ｂ）および同図（ｃ）により、表示／非表示映像判断部７０およびシャッター動作制御部８０の動作を説明する。
【０２２０】
まず、メガネＰについて、表示／非表示映像判断部７０およびシャッター動作制御部８０の動作を同図（ｂ）により説明する。
【０２２１】
表示／非表示映像判断部７０は、映像Ａ〜映像Ｃに係る映像情報と、メガネＰを着用した鑑賞者は３次元表示映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２２２】
このとき、メガネＰを着用した鑑賞者は３次元表示映像の鑑賞を希望している。従って、表示／非表示映像判断部７０は、２次元表示に用いられる両目用２次元映像（映像Ｃ）を、鑑賞態様に不必要なものとして鑑賞者に対して表示しない非表示映像と判断する。
【０２２３】
シャッター動作制御部８０は、表示／非表示映像判断部７０によって非表示映像と判断された映像Ｃが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ｃが表示装置４００に表示されるときには右目用シャッターおよび左目用シャッターを閉とする。
【０２２４】
加えて、右目用映像（映像Ａ）が表示装置４００に表示されるときには左目用シャッターが閉となり、左目用映像（映像Ｂ）が表示装置４００に表示されるときには右目用シャッターが閉となる必要がある。そこで、表示／非表示映像判断部７０は、さらに、そのように右目用シャッターおよび左目用シャッターの開閉動作を制御するための開閉状態動作信号を生成して、その開閉状態動作信号をシャッター動作制御部８０に出力する。これにより、シャッター動作制御部８０は、その開閉状態動作信号に基づいて、映像Ａが表示装置４００に表示されるときには左目用シャッターを閉とし、映像Ｂが表示装置４００に表示されるときには右目用シャッターを閉状態に動作させる。
【０２２５】
このように、メガネＰについて、表示／非表示映像判断部７０およびシャッター動作制御部８０が動作することにより、図１４（ｂ）に示す右目用シャッターおよび左目用シャッターの開閉動作が行われる。
【０２２６】
次に、メガネＱについて、表示／非表示映像判断部７０およびシャッター動作制御部８０の動作を同図（ｃ）により説明する。
【０２２７】
表示／非表示映像判断部７０は、映像Ａ〜映像Ｃに係る映像情報と、メガネＱを着用した鑑賞者が２次元表示による両目用映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２２８】
このとき、メガネＱを着用した鑑賞者は２次元表示による両目用映像（映像Ｃ）の鑑賞を希望している。従って、表示／非表示映像判断部７０は、右目用映像（映像Ａ）および左目用映像（映像Ｂ）を、鑑賞態様に不必要なものとして鑑賞者に対して表示しない非表示映像と判断する。
【０２２９】
シャッター動作制御部８０は、表示／非表示映像判断部７０によって非表示映像と判断された映像Ａ及び映像Ｂが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ａ及び映像Ｂが表示装置４００に表示されるときには右目用シャッターおよび左目用シャッターを閉とし、映像Ｃが表示装置４００に表示されるときには右目用シャッターおよび左目用シャッターを開とする。
【０２３０】
このように、メガネＱについて、表示／非表示映像判断部７０およびシャッター動作制御部８０が動作することにより、図１４（ｃ）に示す右目用シャッターおよび左目用シャッターの開閉動作が行われる。
【０２３１】
以上、図１４により、メガネＰおよびメガネＱの両方について、表示／非表示映像判断部７０およびシャッター動作制御部８０の動作を説明した。上記説明から分かるように、メガネＰ、メガネＱを着用した鑑賞者の鑑賞態様がそれぞれ異なる場合においても、表示制御装置２は、各々の鑑賞者に適した態様で映像を鑑賞させることができる。
【０２３２】
〔実施例４（メガネＰ〜Ｒともに３Ｄ映像で異なる映像を鑑賞）〕
さらに、鑑賞者が３人存在し、各々の鑑賞者が、メガネＰ、メガネＱ、メガネＲを着用している場合を考える。さらに、鑑賞態様として、メガネＰを着用した鑑賞者は映像Ａ及び映像Ｂからなる３次元表示映像の鑑賞を希望し、メガネＱを着用した鑑賞者は映像Ｃ及び映像Ｄからなる３次元表示映像の鑑賞を希望し、メガネＲを着用した鑑賞者は映像Ｅ及び映像Ｆからなる３次元表示映像の鑑賞を希望しているものとする。このとき、表示／非表示映像判断部７０およびシャッター動作制御部８０の動作を図１５により説明する。なお、図１２等を参照して説明した内容と同一の内容については説明を繰り返さない。
【０２３３】
図１５は、映像Ａ〜映像Ｆが表示装置４００に表示されるタイミングと、そのときのメガネＰ〜メガネＲのシャッター制御を示す図である。同図に示すように、映像Ａ〜映像Ｆが、その順序で交互に表示装置４００に表示される。
【０２３４】
まず、メガネＰについて、表示／非表示映像判断部７０およびシャッター動作制御部８０の動作を説明する。
【０２３５】
表示／非表示映像判断部７０は、映像Ａ〜映像Ｆに係る映像情報と、メガネＰを着用した鑑賞者が映像Ａ及び映像Ｂからなる３次元表示映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２３６】
このとき、メガネＰを着用した鑑賞者は映像Ａ及び映像Ｂからなる３次元表示映像の鑑賞を希望している。従って、表示／非表示映像判断部７０は、映像Ｃ〜映像Ｆを、鑑賞態様に不必要なものとして鑑賞者に対して表示しない非表示映像と判断する。
【０２３７】
そこで、シャッター動作制御部８０は、表示／非表示映像判断部７０によって非表示映像と判断された映像Ｃ〜映像Ｆが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ｃ〜映像Ｆが表示装置４００に表示されるときには右目用シャッターおよび左目用シャッターを閉とする。
【０２３８】
加えて、右目用映像（映像Ａ）が表示装置４００に表示されるときには左目用シャッターが閉となり、左目用映像（映像Ｂ）が表示装置４００に表示されるときには右目用シャッターが閉となる必要がある。そこで、表示／非表示映像判断部７０は、さらに、そのように右目用シャッターおよび左目用シャッターの開閉動作を制御するための開閉状態動作信号を生成して、その開閉状態動作信号をシャッター動作制御部８０に出力する。これにより、シャッター動作制御部８０は、その開閉状態動作信号に基づいて、映像Ａが表示装置４００に表示されるときには左目用シャッターを閉とし、映像Ｂが表示装置４００に表示されるときには右目用シャッターを閉状態に動作させる。
【０２３９】
このように、メガネＰについて、表示／非表示映像判断部７０およびシャッター動作制御部８０が動作することにより、図１５に示す、メガネＰに係る右目用シャッターおよび左目用シャッターの開閉動作が行われる。
【０２４０】
次に、メガネＱについて、表示／非表示映像判断部７０およびシャッター動作制御部８０の動作を説明する。
【０２４１】
表示／非表示映像判断部７０は、映像Ａ〜映像Ｆに係る映像情報と、メガネＱを着用した鑑賞者が映像Ｃ及び映像Ｄからなる３次元表示映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２４２】
このとき、メガネＱを着用した鑑賞者は映像Ｃ及び映像Ｄからなる３次元表示映像の鑑賞を希望している。従って、表示／非表示映像判断部７０は、映像Ａ、映像Ｂ、映像Ｅ、映像Ｆを、鑑賞態様に不必要なものとして鑑賞者に対して表示しない非表示映像と判断する。
【０２４３】
シャッター動作制御部８０は、表示／非表示映像判断部７０によって非表示映像と判断された映像Ａ、映像Ｂ、映像Ｅ、映像Ｆが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ａ、映像Ｂ、映像Ｅ、映像Ｆが表示装置４００に表示されるときには右目用シャッターおよび左目用シャッターを閉とする。
【０２４４】
加えて、右目用映像（映像Ｃ）が表示装置４００に表示されるときには左目用シャッターが閉となり、左目用映像（映像Ｄ）が表示装置４００に表示されるときには右目用シャッターが閉となる必要がある。そこで、表示／非表示映像判断部７０は、さらに、そのように右目用シャッターおよび左目用シャッターの開閉動作を制御するための開閉状態動作信号を生成して、その開閉状態動作信号をシャッター動作制御部８０に出力する。これにより、シャッター動作制御部８０は、その開閉状態動作信号に基づいて、映像Ｃが表示装置４００に表示されるときには左目用シャッターを閉とし、映像Ｄが表示装置４００に表示されるときには右目用シャッターを閉状態に動作させる。
【０２４５】
このように、メガネＱについて、表示／非表示映像判断部７０およびシャッター動作制御部８０が動作することにより、図１５に示す、メガネＱに係る右目用シャッターおよび左目用シャッターの開閉動作が行われる。
【０２４６】
続いて、メガネＲについて、表示／非表示映像判断部７０およびシャッター動作制御部８０の動作を説明する。
【０２４７】
表示／非表示映像判断部７０は、映像Ａ〜映像Ｆに係る映像情報と、メガネＲを着用した鑑賞者が映像Ｅ及び映像Ｆからなる３次元表示映像の鑑賞を希望することを示す鑑賞態様情報とを取得する。そして、それらの情報に基づいて、表示／非表示映像判断部７０は、表示装置４００に表示される映像のうち、鑑賞態様に必要なものとして鑑賞者に対して表示する表示映像と、鑑賞態様に不必要なものとして鑑賞者に対して表示しない非表示映像とを判断する。
【０２４８】
このとき、メガネＲを着用した鑑賞者は映像Ｅ及び映像Ｆからなる３次元表示映像の鑑賞を希望している。従って、表示／非表示映像判断部７０は、映像Ａ〜映像Ｄを、鑑賞態様に不必要なものとして鑑賞者に対して表示しない非表示映像と判断する。
【０２４９】
シャッター動作制御部８０は、表示／非表示映像判断部７０によって非表示映像と判断された映像Ａ〜映像Ｄが表示装置４００に表示されるときに、液晶シャッター５００の右目用シャッターおよび左目用シャッターを閉状態に動作させる閉状態動作信号を液晶シャッター５００に出力する。そして、液晶シャッター５００は、その閉状態動作信号に基づいて、映像Ａ〜映像Ｄが表示装置４００に表示されるときには右目用シャッターおよび左目用シャッターを閉とする。
【０２５０】
加えて、右目用映像（映像Ｅ）が表示装置４００に表示されるときには左目用シャッターが閉となり、左目用映像（映像Ｆ）が表示装置４００に表示されるときには右目用シャッターが閉となる必要がある。そこで、表示／非表示映像判断部７０は、さらに、そのように右目用シャッターおよび左目用シャッターの開閉動作を制御するための開閉状態動作信号を生成して、その開閉状態動作信号をシャッター動作制御部８０に出力する。これにより、シャッター動作制御部８０は、その開閉状態動作信号に基づいて、映像Ｅが表示装置４００に表示されるときには左目用シャッターを閉とし、映像Ｆが表示装置４００に表示されるときには右目用シャッターを閉状態に動作させる。
【０２５１】
このように、メガネＲについて、表示／非表示映像判断部７０およびシャッター動作制御部８０が動作することにより、図１５に示す、メガネＲに係る右目用シャッターおよび左目用シャッターの開閉動作が行われる。
【０２５２】
以上、図１５により、メガネＰ〜メガネＲについて、表示／非表示映像判断部７０およびシャッター動作制御部８０の動作を説明した。上記説明から分かるように、メガネＰ、メガネＱ、メガネＲを着用した鑑賞者の鑑賞態様がそれぞれ異なる場合においても、表示制御装置２は、各々の鑑賞者に適した態様で映像を鑑賞させることができる。
【０２５３】
〔その他の実施例〕
以上、実施例１〜実施例４において、鑑賞者の鑑賞態様がそれぞれ異なる場合においても、表示制御装置２は、各々の鑑賞者に適した態様で映像を鑑賞させることができることを説明した。
【０２５４】
同様に、例えば、映像情報が、表示装置４００に表示される映像の映像提供者に関する映像提供者情報を含み、鑑賞態様情報が、鑑賞者が希望する映像の鑑賞態様が、特定の映像提供者が提供する映像の鑑賞であることを示す特定提供者鑑賞情報を含み、表示装置４００に表示される映像が複数存在し、映像提供者が、その複数の映像それぞれに対して存在するときにも、表示制御装置２は、各々の鑑賞者に適した態様で映像を鑑賞させることができる。
【０２５５】
つまり、表示／非表示映像判断部７０は、映像提供者情報と特定提供者鑑賞情報とに基づいて、特定の映像提供者が提供する映像を表示映像と、それ以外の映像提供者が提供する映像を非表示映像と判断すればよく、これにより、鑑賞者の鑑賞態様がそれぞれ異なる場合においても、表示制御装置２は、各々の鑑賞者に適した態様で映像を鑑賞させることができる。
【０２５６】
あるいは、次のような実施形態も考えうる。つまり、例えば、映像情報が、表示装置４００に表示される映像の属性を示す映像属性情報を含み、鑑賞態様情報が、鑑賞者が希望する映像の鑑賞態様が、特定の属性を有する映像の鑑賞であることを示す特定属性情報を含み、表示装置４００に表示される映像が複数存在し、映像の属性が、その複数の映像それぞれに対して存在するときにも、表示制御装置２は、各々の鑑賞者に適した態様で映像を鑑賞させることができる。
【０２５７】
これにより、表示／非表示映像判断部７０は、映像属性情報と特定属性情報とに基づいて、特定の属性を有する映像を表示映像と、それ以外の属性を有する映像を非表示映像と判断すればよく、これにより、鑑賞者の鑑賞態様がそれぞれ異なる場合においても、表示制御装置２は、各々の鑑賞者に適した態様で映像を鑑賞させることができる。
【０２５８】
〔表示制御装置２による効果〕
表示制御装置２（表示制御方法）では、表示／非表示映像判断部７０（表示／非表示映像判断ステップ）が、表示装置４００に表示される映像を表示映像と非表示映像とに判断する。このとき、表示映像／非表示映像の判断は、表示装置４００に表示される映像に関する映像情報と、鑑賞者が希望する映像の鑑賞態様を示す鑑賞態様情報とに基づいて行われる。そして、シャッター動作制御部８０（シャッター動作制御ステップ）は、鑑賞態様に不必要なものとして鑑賞者に対して表示しない非表示映像と判断された映像が表示装置４００に表示されるときに、液晶シャッター５００の右目用シャッターおよび左目用シャッターを閉状態に動作させる。
【０２５９】
従って、表示制御装置２（表示制御方法）は、非表示映像が表示装置４００に表示されるときに、液晶シャッター５００の右目用シャッターおよび左目用シャッターを閉状態にするため、鑑賞態様に不必要な非表示映像を鑑賞者に鑑賞させることがない。
【０２６０】
それゆえ、表示制御装置２（表示制御方法）は、各々の鑑賞者に適した態様で映像を鑑賞させることができる。
【０２６１】
さらに、表示制御装置２では、映像情報は、３次元表示に用いることが可能な右目用映像そのものを示す右目用映像情報と、３次元表示に用いることが可能な左目用映像そのものを示す左目用映像情報とを含み、鑑賞態様情報は、鑑賞者が希望する映像の鑑賞態様が、２次元表示による鑑賞であることを示す２次元鑑賞情報を含むときに、表示／非表示映像判断部７０は、右目用映像情報および左目用映像情報と、２次元鑑賞情報とに基づいて、右目用映像あるいは左目用映像の何れかを表示映像と、他方を非表示映像と判断することが好ましい。
【０２６２】
上記構成によれば、右目用映像あるいは左目用映像の何れかが表示映像と判断され、他方が非表示映像と判断される。
【０２６３】
従って、表示制御装置２では、例えば右目用映像が表示映像、左目用映像が非表示映像と判断され、非表示映像である左目用映像が表示装置４００に表示されるときに、液晶シャッター５００の右目用シャッターおよび左目用シャッターが閉状態になる。それゆえ、表示制御装置２は、鑑賞態様に不必要な左目用映像を鑑賞者に鑑賞させることがない。
【０２６４】
つまり、鑑賞者は表示映像である右目用映像のみを鑑賞することができるため、表示制御装置２は、鑑賞者が希望する映像の鑑賞態様（２次元表示による鑑賞）を実現することができる。
【０２６５】
さらに、表示制御装置２では、映像情報は、表示装置４００に表示される映像の映像提供者に関する映像提供者情報を含み、鑑賞態様情報は、鑑賞者が希望する映像の鑑賞態様が、特定の映像提供者が提供する映像の鑑賞であることを示す特定提供者鑑賞情報を含み、表示装置４００に表示される映像が複数存在し、映像提供者が、その複数の映像それぞれに対して存在するときに、表示／非表示映像判断部７０は、映像提供者情報と特定提供者鑑賞情報とに基づいて、特定の映像提供者が提供する映像を表示映像と、それ以外の映像提供者が提供する映像を非表示映像と判断することが好ましい。
【０２６６】
上記構成によれば、特定の映像提供者が提供する映像が表示映像と判断され、それ以外の映像提供者が提供する映像が非表示映像と判断される。
【０２６７】
従って、表示制御装置２では、それ以外の映像提供者が提供する映像が表示装置４００に表示されるときに、液晶シャッター５００の右目用シャッターおよび左目用シャッターが閉状態になる。それゆえ、表示制御装置２は、鑑賞態様に不必要なそれ以外の映像提供者が提供する映像を鑑賞者に鑑賞させることがない。
【０２６８】
つまり、鑑賞者は表示映像である、特定の映像提供者が提供する映像のみを鑑賞することができるため、表示制御装置２は、鑑賞者が希望する映像の鑑賞態様（特定の映像提供者が提供する映像の鑑賞）を実現することができる。
【０２６９】
さらに、表示制御装置２では、映像情報は、表示装置４００に表示される映像の属性を示す映像属性情報を含み、鑑賞態様情報は、鑑賞者が希望する映像の鑑賞態様が、特定の属性を有する映像の鑑賞であることを示す特定属性情報を含み、表示装置４００に表示される映像が複数存在し、映像の属性が、その複数の映像それぞれに対して存在するときに、表示／非表示映像判断部７０は、映像属性情報と特定属性情報とに基づいて、特定の属性を有する映像を表示映像と、それ以外の属性を有する映像を非表示映像と判断することが好ましい。
【０２７０】
上記構成によれば、特定の属性を有する映像が表示映像と判断され、それ以外の属性を有する映像が非表示映像と判断される。
【０２７１】
従って、表示制御装置２では、それ以外の属性を有する映像が表示装置４００に表示されるときに、液晶シャッター５００の右目用シャッターおよび左目用シャッターが閉状態になる。それゆえ、表示制御装置２は、鑑賞態様に不必要なそれ以外の属性を有する映像を鑑賞者に鑑賞させることがない。
【０２７２】
つまり、鑑賞者は表示映像である、特定の属性を有する映像のみを鑑賞することができるため、表示制御装置２は、鑑賞者が希望する映像の鑑賞態様（特定の属性を有する映像の鑑賞）を実現することができる。
【０２７３】
さらに、表示制御装置２では、映像情報は、３次元表示に用いることが可能な右目用映像そのものを示す右目用映像情報と、３次元表示に用いることが可能な左目用映像そのものを示す左目用映像情報と、２次元表示に用いられる両目用映像そのものを示す両目用映像情報とを含み、鑑賞態様情報は、鑑賞者が希望する映像の表示態様が３次元表示または２次元表示の何れの表示態様であるかを示す表示態様情報を含むときに、表示／非表示映像判断部７０は、鑑賞者が希望する映像の表示態様が３次元表示である場合には、両目用映像情報に係る映像を非表示映像と判断し、鑑賞者が希望する映像の表示態様が２次元表示である場合には、右目用映像情報および左目用映像情報に係る映像を非表示映像と判断することが好ましい。
【０２７４】
映像情報が、右目用映像情報、左目用映像情報、及び両目用映像情報を含む場合を考える。このとき、右目用映像情報および両目用映像情報によって３次元表示が実現し、両目用映像情報によって２次元表示が実現する。
【０２７５】
そこで、鑑賞者が希望する映像の表示態様が３次元表示である場合には、両目用映像情報に係る映像を非表示映像とすることにより、非表示映像である両目用映像情報に係る映像が表示装置４００に表示されるときに、液晶シャッター５００の右目用シャッターおよび左目用シャッターが閉状態になる。それゆえ、表示制御装置２は、鑑賞態様に不必要な両目用映像を鑑賞者に鑑賞させることがなく、右目用映像情報および左目用映像情報に係る映像を鑑賞者に鑑賞させることにより、３次元表示を実現することができる。
【０２７６】
同様に、鑑賞者が希望する映像の表示態様が２次元表示である場合には、右目用映像情報および左目用映像情報に係る映像を非表示映像とすることにより、非表示映像である右目用映像情報および左目用映像情報に係る映像が表示装置４００に表示されるときに、液晶シャッター５００の右目用シャッターおよび左目用シャッターが閉状態になる。それゆえ、表示制御装置２は、鑑賞態様に不必要な右目用映像報および左目用映像情報に係る映像を鑑賞者に鑑賞させることがない。それゆえ、表示制御装置２は、鑑賞態様に不必要な鑑賞態様に不必要な右目用映像報および左目用映像情報に係る映像を鑑賞者に鑑賞させることがなく、両目用映像情報に係る映像を鑑賞者に鑑賞させることにより、２次元表示を実現することができる。
【０２７７】
このようにして、表示制御装置２は、鑑賞者が希望する映像の鑑賞態様（２次元表示による鑑賞、もしくは３次元表示による鑑賞）を実現することができる。
【０２７８】
さらに、表示制御装置２（または、表示制御装置３）では、鑑賞者は、複数存在し、鑑賞態様情報が、その複数の鑑賞者それぞれに対して存在するときに、シャッター動作制御部８０は、複数の鑑賞者が使用する液晶シャッター５００の動作それぞれについて、右目用シャッターおよび左目用シャッターを閉状態に動作させることが好ましい。
【０２７９】
上記構成とすることにより、たとえ鑑賞者が複数存在する場合においても、シャッター動作制御部８０は、その複数の鑑賞者それぞれに関する鑑賞態様情報に基づいて、複数の鑑賞者が使用する液晶シャッター５００それぞれの右目用シャッターおよび左目用シャッターを閉状態に動作させる。
【０２８０】
それゆえ、表示制御装置２（または、表示制御装置３）は、鑑賞者が複数存在するときにも、各々の鑑賞者に適した態様で映像を鑑賞させることができるという効果を有する。
【０２８１】
なお、表示制御装置２は、コンピュータによって実現してもよく、この場合には、コンピュータを各手段として動作させることにより表示制御装置をコンピュータにて実現させる表示制御プログラム、およびそれを記録したコンピュータ読み取り可能な記録媒体も、本発明の範疇に入る。
〔実施の形態４〕
次に、本発明に係る音声出力装置８００を図１６により説明する。図１６は、音声出力装置８００を説明するためのブロック図である。なお、図１等を参照して説明した内容と同一の内容については、その説明を省略する。
【０２８２】
音声出力装置８００は、表示装置４００に表示される映像に音声が付随し、その音声に関する情報を音声情報としたときに利用される装置であり、出力／非出力音声情報判断部（出力／非出力音声情報判断手段）８１０と、出力部（出力手段）８２０と、を備える。
【０２８３】
出力／非出力音声情報判断部８１０は、本発明に係る表示制御装置（より具体的には、表示／非表示映像判断部７０）から、表示映像そのものを示す表示映像情報と非表示映像そのものを示す非表示映像情報とを取得して、表示映像に付随する音声情報は外部に出力する出力音声情報と判断し、非表示映像に関連付けられた音声情報は外部へ出力しない非出力音声情報と判断する。そして、出力／非出力音声情報判断部８１０は、判断した結果である出力音声情報および非出力音声情報を出力部８２０に出力する。
【０２８４】
出力部８２０は、出力／非出力音声情報判断部８１０によって出力音声情報と判断された音声を、その出力音声情報に関連付けられた表示映像が表示装置４００に表示されるときに図示しないスピーカに出力する。
【０２８５】
なお、図１６では、音声出力装置８００は、記録再生装置１７０に内蔵されている。しかしながら、音声出力装置８００は、記録再生装置１７０に内蔵されず、外付けされる構成で実現されてもよい。
【０２８６】
〔音声出力装置８００による効果〕
上記構成とすることにより、表示装置４００に表示映像が表示されるときに、その表示映像に関連付けられた出力音声情報に係る音声も出力される。逆に言えば、表示装置４００に非表示映像が表示されるときには、その非表示映像に関連付けられた音声情報に係る音声は出力されない。
【０２８７】
従って、音声出力装置８００は、表示映像と、その表示映像に関連付けられた音声とを同時に鑑賞者に視聴させることができる。そして、鑑賞者が複数存在し、その複数の鑑賞者それぞれに対して存在するときには、音声出力装置８００は、上記構成を備えることにより、鑑賞者ごとに表示映像と、その表示映像に関連付けられた音声とを同時に鑑賞者に視聴させることができる。
【０２８８】
なお、複数の鑑賞者に対して音声を出力するときには、鑑賞者それぞれがヘッドフォン等の音声出力手段を利用し、各々の音声出力手段に対して、表示映像に関連付けられた音声を出力する構成とすることにより、種々の音声が混成する事態を避けることができる。
〔実施の形態５〕
次に、図１を参照して説明した表示制御装置１の変形例である表示制御装置３を図１７により説明する。図１７は、表示制御装置３を備えた記録再生装置１８０の概略構成を示すブロック図である。なお、図１等を参照して説明した内容と同一の内容については、その説明を省略する。
【０２８９】
図示するように、記録再生装置１８０は、少なくとも、表示制御装置３と、情報再生部１１０と、を備える構成となっている。
【０２９０】
表示制御装置３は、各々の鑑賞者に適した態様で映像を鑑賞させることが可能な装置であって、図示するとおり、左右映像分離部１０、コマ映像分割部２０、映像抽出部３０、映像配列部４０、および変更情報生成部５０を備え、さらに、表示／非表示映像判断部７０と、シャッター動作制御部８０と、を備える構成となっている。
【０２９１】
ここで、映像情報には、３次元表示に用いることが可能な右目用映像そのものを示す右目用映像情報と、３次元表示に用いることが可能な左目用映像そのものを示す左目用映像情報とが含まれ、鑑賞態様情報には、鑑賞者の利き目が左右何れの目であるかを示す利き目情報を含まれるものとする。
【０２９２】
このとき、映像抽出部３０は、複数の上記右目用映像情報および上記左目用映像情報から、３次元表示に用いられる一対の右目用映像情報および左目用映像情報を抽出する。
【０２９３】
映像配列部４０は、映像抽出部３０が抽出した右目用映像情報および左目用映像情報を規則的に配列する。
【０２９４】
変更情報生成部５０は、映像配列部４０が配列した右目用映像情報および左目用映像情報の配列構成と、上記利き目情報とに基づいて、上記液晶シャッター５００が上記右目用映像および上記左目用映像の表示・非表示の状態を変更するための変更情報を生成する。
【０２９５】
そして、表示／非表示映像判断部７０は、上記変更情報生成部５０が生成した上記変更情報に基づいて、上記表示映像と上記非表示映像とを判断する。
【０２９６】
シャッター動作制御部８０は、さらに、上記変更情報に基づいて、上記右目用シャッターおよび上記左目用シャッターの開閉動作を制御する。
【０２９７】
〔表示制御装置３による効果〕
上記構成によれば、右目用シャッターおよび左目用シャッターは、変更情報に基づくシャッター動作制御部８０の制御によって、その開閉動作が行われる。そして、その変更情報は、映像抽出部３０が３次元表示に用いられる一対の右目用映像情報および左目用映像情報を複数の右目用映像情報および左目用映像情報から抽出して、映像配列部４０が当該抽出された右目用映像情報および左目用映像情報を規則的に配列した配列構成と、鑑賞者の利き目が左右何れの目であるかを示す利き目情報とに基づいて生成される。
【０２９８】
従って、液晶シャッター５００の右目用シャッターおよび左目用シャッターは、３次元表示に用いられる右目用映像および左目用映像の配列構成と鑑賞者の利き目とに基づいて、当該右目用映像および左目用映像をそれぞれ表示・非表示の状態に変更しうる。すなわち、鑑賞者の利き目を右目とした場合、液晶シャッター５００は、最初に右目用映像（以下、利き目の側の映像を「主映像」と呼ぶ場合もある。）を表示状態に、左目用映像（以下、利き目とは反対側の映像を「補助映像」と呼ぶ場合もある。）を非表示の状態にし、その次に、補助映像を表示状態にし、主映像を非表示の状態に変更することが可能となる。加えて、液晶シャッター５００は、非表示映像については、右目用映像および左目用映像ともに非表示の状態とすることも可能である。
【０２９９】
それゆえ、表示制御装置３は、主映像と補助映像とをその順序で表示させることができるため、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができる、すなわち、各々の鑑賞者に適した態様で映像を鑑賞させることができるという効果を奏する。
【０３００】
さらに、表示制御装置３では、映像抽出部３０が、情報記録媒体に記録された複数の右目用映像情報および左目用映像情報から、３次元表示に用いられる一対の右目用映像情報および左目用映像情報を抽出してくる場合等において、上記構成とすることにより、鑑賞者の利き目に応じて、右目用映像情報および左目用映像情報の配列を変えた映像情報を２重に情報記録媒体に記録しておく必要がなくなるため、当該情報記録媒体の製造コストを低減することができるという効果も奏する。
【０３０１】
なお、上記構成を備えた表示制御装置３は、上述した表示制御装置１によって奏する他の効果も当然に実現しうる。
【０３０２】
さらに、表示制御装置３では、映像配列部４０は、映像抽出部３０が抽出した一対の右目用映像情報および左目用映像情報を、
（１）右目用映像情報、左目用映像情報、右目用映像情報
（２）左目用映像情報、右目用映像情報、左目用映像情報
（３）右目用映像情報、左目用映像情報
（４）左目用映像情報、右目用映像情報
の何れか１つにしたがって配列する構成である。
【０３０３】
構成（１）、（２）では、映像配列部４０は、映像抽出部３０が抽出した右目用映像情報および左目用映像情報を規則的に３つの映像情報に配列するため、鑑賞者の利き目に基づいて、鑑賞者に対して表示しない映像を設けることができる。
【０３０４】
従って、表示制御装置３は、鑑賞者の利き目が右目あるいは左目であるかを考慮して、最初に鑑賞者の脳に認識させたい映像を認識させることができ、鑑賞者に３Ｄ酔いを引き起こす事態を未然に防止することができる、すなわち、各々の鑑賞者に適した態様で映像を鑑賞させることができる。
【０３０５】
また、構成（３）、（４）では、映像配列部４０は、映像抽出部３０が抽出した右目用映像情報および左目用映像情報を規則的に２つの映像情報に配列する。それゆえ、鑑賞者の利き目に基づいて、鑑賞者に対して表示しない映像を設けることができる。なお、構成（３）、（４）は、右目用映像および左目用映像が、映像の違い（差）を認識できないほどに細かくコマ割りされている場合に適用可能な配列である。
【０３０６】
このように、表示制御装置３では、映像配列部４０は、右目用映像および左目用映像に基づいて、映像抽出部３０が抽出した一対の右目用映像情報および左目用映像情報を種々のバリエーションで規則的に配列することができる。そして、表示制御装置３は、何れの配列構成であっても、鑑賞者の利き目が右目あるいは左目であるかを考慮して、最初に鑑賞者の脳に認識させたい映像を認識させることができる。
【０３０７】
それゆえ、表示制御装置３は、各々の鑑賞者に適した態様で映像を鑑賞させることができる。
【０３０８】
さらに、表示制御装置３では、映像配列部４０が右目用映像情報および左目用映像情報を、右目用映像情報、左目用映像情報、右目用映像情報の順序で配列し、その順に第１乃至３映像情報とした場合、変更情報生成部５０は、変更情報として、鑑賞者の利き目が右目の場合には、第１映像情報に対して右目用シャッターを開、左目用シャッターを閉とし、第２映像情報に対して右目用シャッターを閉、左目用シャッターを開とし、第３映像情報に対して両目のシャッターを閉とする情報を生成し、鑑賞者の利き目が左目の場合には、第１映像情報に対して両目のシャッターを閉とし、第２映像情報に対して右目用シャッターを閉、左目用シャッターを開とし、第３映像情報に対して右目用シャッターを開、左目用シャッターを閉とする情報を生成し、表示／非表示映像判断部７０は、鑑賞者の利き目が右目の場合には第３映像情報に係る映像を、鑑賞者の利き目が左目の場合には第１映像情報に係る映像を、それぞれ非表示映像と判断する構成である。
【０３０９】
さらに、表示制御装置３では、映像配列部４０が右目用映像情報および左目用映像情報を、左目用映像情報、右目用映像情報、左目用映像情報の順序で配列し、その順に第１乃至３映像情報とした場合、変更情報生成部５０は、変更情報として、鑑賞者の利き目が右目の場合には、第１映像情報に対して両目のシャッターを閉とし、第２映像情報に対して右目用シャッターを開、左目用シャッターを閉とし、第３映像情報に対して右目用シャッターを閉、左目用シャッターを開とする情報を生成し、鑑賞者の利き目が左目の場合には、第１映像情報に対して右目用シャッターを閉、左目用シャッターを開とし、第２映像情報に対して右目用シャッターを開、左目用シャッターを閉とし、第３映像情報に対して両目のシャッターを閉とする情報を生成し、表示／非表示映像判断部７０は、鑑賞者の利き目が右目の場合には第１映像情報に係る映像を、鑑賞者の利き目が左目の場合には第３映像情報に係る映像を、それぞれ非表示映像と判断する構成である。
【０３１０】
さらに、表示制御装置３では、映像配列部４０が右目用映像情報および左目用映像情報を、右目用映像情報、左目用映像情報の順序で配列し、その順に第１および２映像情報とした場合、変更情報生成部５０は、変更情報として、鑑賞者の利き目が左目の場合には、第１映像情報に対して両目のシャッターを閉とし、第２映像情報に対して右目側のシャッターを閉、左目側のシャッターを開とし、そのうえで、映像抽出部３０が続けて抽出した右目用映像情報および左目用映像情報を、その順に第３および第４映像情報とした場合、第３映像情報に対して右目側のシャッターを開、左目側のシャッターを閉とし、第４映像情報に対して右目側のシャッターを閉、左目側のシャッターを開とする情報を生成し、表示／非表示映像判断部７０は、第１映像情報に係る映像を非表示映像と判断する構成である。
【０３１１】
さらに、表示制御装置３では、映像配列部４０が右目用映像情報および左目用映像情報を、左目用映像情報、右目用映像情報の順序で配列し、その順に第１および２映像情報とした場合、変更情報生成部５０は、変更情報として、鑑賞者の利き目が右目の場合には、第１映像情報に対して両目のシャッターを閉とし、第２映像情報に対して右目側のシャッターを開、左目側のシャッターを閉とし、そのうえで、映像抽出部３０が続けて抽出した右目用映像情報および左目用映像情報を、その順に第３および第４映像情報とした場合、第３映像情報に対して右目側のシャッターを閉、左目側のシャッターを開とし、第４映像情報に対して右目側のシャッターを開、左目側のシャッターを閉とする情報を生成し、表示／非表示映像判断部７０は、第１映像情報に係る映像を非表示映像と判断する構成である。
【０３１２】
上記各構成により、表示制御装置３は、利き目が左右何れの目であっても、鑑賞者に対して主映像と補助映像とをその順序で表示させることができる。つまり、表示制御装置３では、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができる。
【０３１３】
それゆえ、表示制御装置３は、利き目が左右何れの目であっても、各々の鑑賞者に適した態様で映像を鑑賞させることができるという効果を有する。
【０３１４】
〔補足〕
最後に、表示制御装置１〜３の各ブロック、特に表示制御装置１〜３の左右映像分離部１０、コマ映像分割部２０、映像抽出部３０、映像配列部４０、変更情報生成部５０、表示／非表示映像判断部７０、シャッター動作制御部８０、及び、音声出力装置８００の各ブロック、特に出力／非出力音声情報判断部８１０、出力部８２０は、ハードウェアロジックによって構成してもよいし、次のようにＣＰＵを用いてソフトウェアによって実現してもよい。
【０３１５】
すなわち、表示制御装置１〜３、音声出力装置８００は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである表示制御装置１〜３の制御プログラムのプログラムコード（実行形式プログラム、中間コードプログラム、ソースプログラム）をコンピュータで読み取り可能に記録した記録媒体を、前記表示制御装置１〜３、音声出力装置８００に供給し、そのコンピュータ（又はＣＰＵやＭＰＵ）が記録媒体に記録されているプログラムコードを読み出し実行することによっても、達成可能である。
【０３１６】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３１７】
また、表示制御装置１〜３、音声出力装置８００を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３１８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０３１９】
本発明に係る表示制御装置は、上記の課題を解決するために、
３次元表示に用いられる右目用映像および左目用映像をそれぞれ表示・非表示の状態に変更することが可能な表示状態変更手段を制御する表示制御装置であって、
上記右目用映像および上記左目用映像に関する情報をそれぞれ、右目用映像情報および左目用映像情報とした場合、
複数の上記右目用映像情報および上記左目用映像情報から、３次元表示に用いられる一対の右目用映像情報および左目用映像情報を抽出する抽出手段と、
上記抽出手段が抽出した右目用映像情報および左目用映像情報を規則的に配列する配列手段と、
上記配列手段が配列した右目用映像情報および左目用映像情報の配列構成と、ユーザの利き目が左右何れの目であるかを示す利き目情報とに基づいて、上記表示状態変更手段が上記右目用映像および上記左目用映像の表示・非表示の状態を変更するための変更情報を生成する変更情報生成手段と、を備えることを特徴としている。
【０３２０】
本発明に係る表示制御方法は、上記の課題を解決するために、
３次元表示に用いられる右目用映像および左目用映像をそれぞれ表示・非表示の状態に変更することが可能な表示状態変更手段を制御する表示制御方法であって、
上記右目用映像および上記左目用映像に関する情報をそれぞれ、右目用映像情報および左目用映像情報とした場合、
複数の上記右目用映像情報および上記左目用映像情報から、３次元表示に用いられる一対の右目用映像情報および左目用映像情報を抽出する抽出ステップと、
上記抽出ステップにて抽出された右目用映像情報および左目用映像情報を規則的に配列する配列ステップと、
上記配列ステップにて配列された右目用映像情報および左目用映像情報の配列構成と、ユーザの利き目が左右何れの目であるかを示す利き目情報とに基づいて、上記表示状態変更手段が上記右目用映像および上記左目用映像の表示・非表示の状態を変更するための変更情報を生成する変更情報生成ステップと、を含むことを特徴としている。
【０３２１】
本発明に係る表示制御装置は、３次元表示に用いられる右目用映像および左目用映像をそれぞれ表示・非表示の状態に変更することが可能な表示状態変更手段を制御するためのものである。
【０３２２】
上記構成によれば、上記表示状態変更手段は、変更情報生成手段が生成する変更情報によって上記右目用映像および上記左目用映像の表示・非表示の状態が変更される。そして、その変更情報は、抽出手段が３次元表示に用いられる一対の右目用映像情報および左目用映像情報を複数の右目用映像情報および左目用映像情報から抽出して、配列手段が当該抽出された右目用映像情報および左目用映像情報を規則的に配列した配列構成と、ユーザの利き目が左右何れの目であるかを示す利き目情報とに基づいて生成される。
【０３２３】
従って、表示状態変更手段は、３次元表示に用いられる右目用映像および左目用映像の配列構成とユーザの利き目とを考慮して、当該右目用映像および左目用映像をそれぞれ表示・非表示の状態に変更することが可能となる。すなわち、ユーザの利き目を右目とした場合、表示状態変更手段は、最初に右目用映像（以下、利き目の側の映像を「主映像」と呼ぶ場合もある。）を表示状態に、左目用映像（以下、利き目とは反対側の映像を「補助映像」と呼ぶ場合もある。）を非表示の状態にし、その次に、補助映像を表示状態にし、主映像を非表示の状態に変更することが可能となる。
【０３２４】
それゆえ、本発明に係る表示制御装置は、主映像と補助映像とをその順序で表示させることができるため、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができるという効果を奏する。
【０３２５】
さらに、本発明に係る表示制御装置では、抽出手段が、情報記録媒体に記録された複数の右目用映像情報および左目用映像情報から、３次元表示に用いられる一対の右目用映像情報および左目用映像情報を抽出してくる場合等において、上記構成とすることにより、ユーザの利き目に応じて、右目用映像情報および左目用映像情報の配列を変えた映像情報を２重に情報記録媒体に記録しておく必要がなくなるため、当該情報記録媒体の製造コストを低減することができるという効果も奏する。
【０３２６】
さらに、本発明に係る表示制御装置では、
上記配列手段は、上記抽出手段が抽出した一対の右目用映像情報および左目用映像情報を、
（１）右目用映像情報、左目用映像情報、右目用映像情報
（２）左目用映像情報、右目用映像情報、左目用映像情報
（３）右目用映像情報、左目用映像情報
（４）左目用映像情報、右目用映像情報
の何れか１つに従って配列することが好ましい。
【０３２７】
上記構成（１）、（２）では、上記配列手段は、抽出手段が抽出した右目用映像情報および左目用映像情報を規則的に３つの映像情報に配列する。それゆえ、ユーザの利き目に基づいて、ユーザに対して表示しない映像を設けることができる。
【０３２８】
従って、本発明に係る表示制御装置は、ユーザの利き目が右目あるいは左目であるかを考慮して、最初にユーザの脳に認識させたい映像を認識させることができるため、ユーザに３Ｄ酔いを引き起こす事態を未然に防止することができる。
【０３２９】
また、上記構成（３）、（４）では、上記配列手段は、抽出手段が抽出した右目用映像情報および左目用映像情報を規則的に２つの映像情報に配列する。それゆえ、ユーザの利き目に基づいて、ユーザに対して表示しない映像を設けることができる。なお、構成（３）、（４）は、右目用映像および左目用映像が、映像の違い（差）を認識できないほどに細かくコマ割りされている場合に適用可能な配列である。
【０３３０】
このように、本発明に係る表示制御装置では、配列手段は、右目用映像および左目用映像に基づいて、抽出手段が抽出した一対の右目用映像情報および左目用映像情報を種々のバリエーションで規則的に配列することができる。そして、本発明に係る表示制御装置は、何れの配列構成であっても、ユーザの利き目が右目あるいは左目であるかを考慮して、最初にユーザの脳に認識させたい映像を認識させることができる。
【０３３１】
それゆえ、本発明に係る表示制御装置は、ユーザに３Ｄ酔いを引き起こす事態を未然に防止することができる。
【０３３２】
さらに、本発明に係る表示制御装置では、
上記表示状態変更手段が、左右の目に対応付けられた２つのシャッターを有する液晶シャッターを含む場合に、
上記変更情報生成手段は、生成した上記変更情報に基づいて、上記シャッターの開閉動作を制御することが好ましい。
【０３３３】
上記構成によれば、上記表示状態変更手段は、左右の目に対応付けられた２つのシャッターを有する液晶シャッターを含む構成で実現されてもよい。
【０３３４】
この場合、上記変更情報生成手段は、生成した変更情報に基づいて、上記２つのシャッターの開閉動作を制御することができ、これにより、本発明に係る表示制御装置は、主映像と補助映像とをその順序で表示させることができ、３Ｄ酔いの一因を解消することができる。
【０３３５】
さらに、本発明に係る表示制御装置では、
上記配列手段が右目用映像情報および左目用映像情報を、右目用映像情報、左目用映像情報、右目用映像情報の順序で配列し、その順に第１乃至３映像情報とした場合、
上記変更情報生成手段は、生成した上記変更情報に基づく上記液晶シャッターの制御として、
ユーザの利き目が右目の場合には、上記第１映像情報に対して右目側のシャッターを開、左目側のシャッターを閉とし、上記第２映像情報に対して右目側のシャッターを閉、左目側のシャッターを開とし、上記第３映像情報に対して両目のシャッターを閉とし、
ユーザの利き目が左目の場合には、上記第１映像情報に対して両目のシャッターを閉とし、上記第２映像情報に対して右目側のシャッターを閉、左目側のシャッターを開とし、上記第３映像情報に対して右目側のシャッターを開、左目側のシャッターを閉とすることが好ましい。
【０３３６】
さらに、本発明に係る表示制御装置では、
上記配列手段が右目用映像情報および左目用映像情報を、左目用映像情報、右目用映像情報、左目用映像情報の順序で配列し、その順に第１乃至３映像情報とした場合、
上記変更情報生成手段は、生成した上記変更情報に基づく上記液晶シャッターの制御として、
ユーザの利き目が右目の場合には、上記第１映像情報に対して両目のシャッターを閉とし、上記第２映像情報に対して右目側のシャッターを開、左目側のシャッターを閉とし、上記第３映像情報に対して右目側のシャッターを閉、左目側のシャッターを開とし、
ユーザの利き目が左目の場合には、上記第１映像情報に対して右目側のシャッターを閉、左目側のシャッターを開とし、上記第２映像情報に対して右目側のシャッターを開、左目側のシャッターを閉とし、上記第３映像情報に対して両目のシャッターを閉とすることが好ましい。
【０３３７】
さらに、本発明に係る表示制御装置では、
上記配列手段が右目用映像情報および左目用映像情報を、右目用映像情報、左目用映像情報の順序で配列し、その順に第１および２映像情報とした場合、
上記変更情報生成手段は、生成した上記変更情報に基づく上記液晶シャッターの制御として、
ユーザの利き目が右目の場合には、上記第１映像情報に対して右目側のシャッターを開、左目側のシャッターを閉とし、上記第２映像情報に対して右目側のシャッターを閉、左目側のシャッターを開とし、
ユーザの利き目が左目の場合には、上記第１映像情報に対して両目のシャッターを閉とし、上記第２映像情報に対して右目側のシャッターを閉、左目側のシャッターを開とし、そのうえで、上記抽出手段が続けて抽出した右目用映像情報および左目用映像情報を、その順に第３および第４映像情報とした場合、上記第３映像情報に対して右目側のシャッターを開、左目側のシャッターを閉とし、上記第４映像情報に対して右目側のシャッターを閉、左目側のシャッターを開とすることが好ましい。
【０３３８】
さらに、本発明に係る表示制御装置では、
上記配列手段が右目用映像情報および左目用映像情報を、左目用映像情報、右目用映像情報の順序で配列し、その順に第１および２映像情報とした場合、
上記変更情報生成手段は、生成した上記変更情報に基づく上記液晶シャッターの制御として、
ユーザの利き目が右目の場合には、上記第１映像情報に対して両目のシャッターを閉とし、上記第２映像情報に対して右目側のシャッターを開、左目側のシャッターを閉とし、そのうえで、上記抽出手段が続けて抽出した右目用映像情報および左目用映像情報を、その順に第３および第４映像情報とした場合、上記第３映像情報に対して右目側のシャッターを閉、左目側のシャッターを開とし、上記第４映像情報に対して右目側のシャッターを開、左目側のシャッターを閉とし、
ユーザの利き目が左目の場合には、上記第１映像情報に対して右目側のシャッターを閉、左目側のシャッターを開とし、上記第２映像情報に対して右目側のシャッターを開、左目側のシャッターを閉とすることが好ましい。
【０３３９】
上記各構成により、利き目が左右何れの目であっても、ユーザに対して主映像と補助映像とをその順序で表示させることができる。
【０３４０】
それゆえ、本発明に係る表示制御装置は、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができるという効果を奏する。
【０３４１】
さらに、本発明に係る表示制御装置では、
上記変更情報生成手段は、上記利き目情報を複数のユーザから取得可能であることが好ましい。
【０３４２】
従って、上記変更情報生成手段は、上記配列手段が配列した右目用映像情報および左目用映像情報の配列構成と、複数のユーザの利き目が左右何れの目であるかを示す利き目情報とに基づいて、上記表示状態変更手段が上記右目用映像および上記左目用映像の表示・非表示の状態を変更するための変更情報を生成することができる。
【０３４３】
それゆえ、上記変更情報生成手段は、複数のユーザそれぞれに関する変更情報を生成することが可能となり、ユーザごとの変更情報を用いて表示状態変更手段を制御する構成を実現することが可能となるという効果を奏する。
【０３４４】
さらに、本発明に係る表示制御装置では、
上記複数のユーザがそれぞれ、上記表示状態変更手段を使用する場合に、
上記変更情報生成手段は、上記表示状態変更手段それぞれを上記右目用映像および上記左目用映像を表示・非表示の状態に変更するための上記変更情報を生成することが好ましい。
【０３４５】
上記構成によれば、複数のユーザそれぞれが表示状態変更手段を使用する場合に、上記変更情報生成手段は、上記配列手段が配列した右目用映像情報および左目用映像情報の配列構成と、上記複数のユーザの利き目が左右何れの目であるかを示す利き目情報とに基づいて、上記表示状態変更手段それぞれが上記右目用映像および上記左目用映像を表示・非表示の状態に変更する変更情報を生成する。
【０３４６】
それゆえ、本発明に係る表示制御装置は、複数のユーザそれぞれが表示状態変更手段を使用し、かつ、その使用が同時に行われるような場合において、たとえ各ユーザの利き目が異なるとしても、すべてのユーザの３Ｄ酔いを未然に防止することができるという効果を奏する。
【０３４７】
なお、上記表示制御装置は、コンピュータによって実現してもよく、この場合には、コンピュータを上記抽出手段、上記配列手段、上記変更情報生成手段として動作させることにより上記表示制御装置をコンピュータにて実現させる表示制御プログラム、およびそれを記録したコンピュータ読み取り可能な記録媒体も、本発明の範疇に入る。
【０３４８】
さらに、上記表示制御装置を備えた記録再生装置も本発明の範疇に入る。
【０３４９】
本発明に係る表示制御装置は、上記の課題を解決するために、
表示装置に表示される映像を鑑賞者に対して表示・非表示の状態に変更することが可能な右目用シャッターおよび左目用シャッターを有する表示状態変更手段の動作を制御する表示制御装置であって、
上記表示装置に表示される映像に関する映像情報と、鑑賞者が希望する映像の鑑賞態様を示す鑑賞態様情報とに基づいて、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、
上記表示／非表示映像判断手段によって非表示映像と判断された映像が上記表示装置に表示されるときに、上記右目用シャッターおよび上記左目用シャッターを閉状態に動作させるシャッター動作制御手段と、を備えることを特徴としている。
【０３５０】
表示装置に表示される映像を鑑賞者に対して表示・非表示の状態に変更することが可能な右目用シャッターおよび左目用シャッターを有する表示状態変更手段の動作を制御する表示制御方法であって、
上記表示装置に表示される映像に関する映像情報と、鑑賞者が希望する映像の鑑賞態様を示す鑑賞態様情報とに基づいて、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断ステップと、
上記表示／非表示映像判断ステップによって非表示映像と判断された映像が上記表示装置に表示されるときに、上記右目用シャッターおよび上記左目用シャッターを閉状態に動作させるシャッター動作制御ステップと、を含むことを特徴としている。
【０３５１】
本発明に係る表示制御装置（表示制御方法）では、表示／非表示映像判断手段（表示／非表示映像判断ステップ）が、表示装置に表示される映像を表示映像と非表示映像とに判断する。このとき、表示映像／非表示映像の判断は、表示装置に表示される映像に関する映像情報と、鑑賞者が希望する映像の鑑賞態様を示す鑑賞態様情報とに基づいて行われる。そして、シャッター動作制御手段（シャッター動作制御ステップ）は、鑑賞態様に不必要なものとして鑑賞者に対して表示しない非表示映像と判断された映像が表示装置に表示されるときに、表示状態変更手段の右目用シャッターおよび左目用シャッターを閉状態に動作させる。
【０３５２】
従って、本発明に係る表示制御装置（表示制御方法）は、非表示映像が表示装置に表示されるときに、表示状態変更手段の右目用シャッターおよび左目用シャッターを閉状態にするため、鑑賞態様に不必要な非表示映像を鑑賞者に鑑賞させることがない。
【０３５３】
それゆえ、本発明に係る表示制御装置（表示制御方法）は、各々の鑑賞者に適した態様で映像を鑑賞させることができる。
【０３５４】
さらに、本発明に係る表示制御装置では、
上記映像情報は、３次元表示に用いることが可能な右目用映像そのものを示す右目用映像情報と、３次元表示に用いることが可能な左目用映像そのものを示す左目用映像情報とを含み、
上記鑑賞態様情報は、上記鑑賞者が希望する映像の鑑賞態様が、２次元表示による鑑賞であることを示す２次元鑑賞情報を含むときに、
上記表示／非表示映像判断手段は、上記右目用映像情報および上記左目用映像情報と、上記２次元鑑賞情報とに基づいて、上記右目用映像あるいは上記左目用映像の何れかを上記表示映像と、他方を上記非表示映像と判断することが好ましい。
【０３５５】
上記構成によれば、上記右目用映像あるいは上記左目用映像の何れかが上記表示映像と判断され、他方が上記非表示映像と判断される。
【０３５６】
従って、本発明に係る表示制御装置では、例えば右目用映像が表示映像、左目用映像が非表示映像と判断され、非表示映像である左目用映像が表示装置に表示されるときに、表示状態変更手段の右目用シャッターおよび左目用シャッターが閉状態になる。それゆえ、本発明に係る表示制御装置は、鑑賞態様に不必要な左目用映像を鑑賞者に鑑賞させることがない。
【０３５７】
つまり、鑑賞者は表示映像である右目用映像のみを鑑賞することができるため、本発明に係る表示制御装置は、鑑賞者が希望する映像の鑑賞態様（２次元表示による鑑賞）を実現することができる。
【０３５８】
さらに、本発明に係る表示制御装置では、
上記映像情報は、上記表示装置に表示される映像の映像提供者に関する映像提供者情報を含み、
上記鑑賞態様情報は、上記鑑賞者が希望する映像の鑑賞態様が、特定の映像提供者が提供する映像の鑑賞であることを示す特定提供者鑑賞情報を含み、
上記表示装置に表示される映像が複数存在し、
上記映像提供者が、その複数の映像それぞれに対して存在するときに、
上記表示／非表示映像判断手段は、上記映像提供者情報と上記特定提供者鑑賞情報とに基づいて、上記特定の映像提供者が提供する映像を上記表示映像と、それ以外の映像提供者が提供する映像を上記非表示映像と判断することが好ましい。
【０３５９】
上記構成によれば、特定の映像提供者が提供する映像が表示映像と判断され、それ以外の映像提供者が提供する映像が非表示映像と判断される。
【０３６０】
従って、本発明に係る表示制御装置では、上記それ以外の映像提供者が提供する映像が表示装置に表示されるときに、表示状態変更手段の右目用シャッターおよび左目用シャッターが閉状態になる。それゆえ、本発明に係る表示制御装置は、鑑賞態様に不必要な上記それ以外の映像提供者が提供する映像を鑑賞者に鑑賞させることがない。
【０３６１】
つまり、鑑賞者は表示映像である、特定の映像提供者が提供する映像のみを鑑賞することができるため、本発明に係る表示制御装置は、鑑賞者が希望する映像の鑑賞態様（特定の映像提供者が提供する映像の鑑賞）を実現することができる。
【０３６２】
さらに、本発明に係る表示制御装置では、
上記映像情報は、上記表示装置に表示される映像の属性を示す映像属性情報を含み、
上記鑑賞態様情報は、上記鑑賞者が希望する映像の鑑賞態様が、特定の属性を有する映像の鑑賞であることを示す特定属性情報を含み、
上記表示装置に表示される映像が複数存在し、
上記映像の属性が、その複数の映像それぞれに対して存在するときに、
上記表示／非表示映像判断手段は、上記映像属性情報と上記特定属性情報とに基づいて、上記特定の属性を有する映像を上記表示映像と、それ以外の属性を有する映像を上記非表示映像と判断することが好ましい。
【０３６３】
上記構成によれば、特定の属性を有する映像が表示映像と判断され、それ以外の属性を有する映像が非表示映像と判断される。
【０３６４】
従って、本発明に係る表示制御装置では、上記それ以外の属性を有する映像が表示装置に表示されるときに、表示状態変更手段の右目用シャッターおよび左目用シャッターが閉状態になる。それゆえ、本発明に係る表示制御装置は、鑑賞態様に不必要な上記それ以外の属性を有する映像を鑑賞者に鑑賞させることがない。
【０３６５】
つまり、鑑賞者は表示映像である、特定の属性を有する映像のみを鑑賞することができるため、本発明に係る表示制御装置は、鑑賞者が希望する映像の鑑賞態様（特定の属性を有する映像の鑑賞）を実現することができる。
【０３６６】
さらに、本発明に係る表示制御装置では、
上記映像情報は、３次元表示に用いることが可能な右目用映像そのものを示す右目用映像情報と、３次元表示に用いることが可能な左目用映像そのものを示す左目用映像情報とを含み、
上記鑑賞態様情報は、鑑賞者の利き目が左右何れの目であるかを示す利き目情報を含むときに、
複数の上記右目用映像情報および上記左目用映像情報から、３次元表示に用いられる一対の右目用映像情報および左目用映像情報を抽出する抽出手段と、
上記抽出手段が抽出した右目用映像情報および左目用映像情報を規則的に配列する配列手段と、
上記配列手段が配列した右目用映像情報および左目用映像情報の配列構成と、上記利き目情報とに基づいて、上記表示状態変更手段が上記右目用映像および上記左目用映像の表示・非表示の状態を変更するための変更情報を生成する変更情報生成手段と、をさらに備え、
上記表示／非表示映像判断手段は、上記変更情報生成手段が生成した上記変更情報に基づいて、上記表示映像と上記非表示映像とを判断し、
上記シャッター動作制御手段は、さらに、上記変更情報に基づいて、上記右目用シャッターおよび上記左目用シャッターの開閉動作を制御することが好ましい。
【０３６７】
上記構成によれば、上記右目用シャッターおよび上記左目用シャッターは、上記変更情報に基づく上記シャッター動作制御手段の制御によって、その開閉動作が行われる。そして、その変更情報は、抽出手段が３次元表示に用いられる一対の右目用映像情報および左目用映像情報を複数の右目用映像情報および左目用映像情報から抽出して、配列手段が当該抽出された右目用映像情報および左目用映像情報を規則的に配列した配列構成と、鑑賞者の利き目が左右何れの目であるかを示す利き目情報とに基づいて生成される。
【０３６８】
従って、表示状態変更手段の上記右目用シャッターおよび上記左目用シャッターは、３次元表示に用いられる右目用映像および左目用映像の配列構成と鑑賞者の利き目とに基づいて、当該右目用映像および左目用映像をそれぞれ表示・非表示の状態に変更しうる。すなわち、鑑賞者の利き目を右目とした場合、表示状態変更手段は、最初に右目用映像（以下、利き目の側の映像を「主映像」と呼ぶ場合もある。）を表示状態に、左目用映像（以下、利き目とは反対側の映像を「補助映像」と呼ぶ場合もある。）を非表示の状態にし、その次に、補助映像を表示状態にし、主映像を非表示の状態に変更することが可能となる。加えて、表示状態変更手段は、非表示映像については、右目用映像および左目用映像ともに非表示の状態とすることも可能である。
【０３６９】
それゆえ、本発明に係る表示制御装置は、主映像と補助映像とをその順序で表示させることができるため、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができる、すなわち、各々の鑑賞者に適した態様で映像を鑑賞させることができるという効果を奏する。
【０３７０】
さらに、本発明に係る表示制御装置では、抽出手段が、情報記録媒体に記録された複数の右目用映像情報および左目用映像情報から、３次元表示に用いられる一対の右目用映像情報および左目用映像情報を抽出してくる場合等において、上記構成とすることにより、鑑賞者の利き目に応じて、右目用映像情報および左目用映像情報の配列を変えた映像情報を２重に情報記録媒体に記録しておく必要がなくなるため、当該情報記録媒体の製造コストを低減することができるという効果も奏する。
【０３７１】
さらに、本発明に係る表示制御装置では、
上記配列手段は、上記抽出手段が抽出した一対の右目用映像情報および左目用映像情報を、
（１）右目用映像情報、左目用映像情報、右目用映像情報
（２）左目用映像情報、右目用映像情報、左目用映像情報
（３）右目用映像情報、左目用映像情報
（４）左目用映像情報、右目用映像情報
の何れか１つにしたがって配列することが好ましい。
【０３７２】
上記構成（１）、（２）では、上記配列手段は、抽出手段が抽出した右目用映像情報および左目用映像情報を規則的に３つの映像情報に配列するため、鑑賞者の利き目に基づいて、鑑賞者に対して表示しない映像を設けることができる。
【０３７３】
従って、本発明に係る表示制御装置は、鑑賞者の利き目が右目あるいは左目であるかを考慮して、最初に鑑賞者の脳に認識させたい映像を認識させることができ、鑑賞者に３Ｄ酔いを引き起こす事態を未然に防止することができる、すなわち、各々の鑑賞者に適した態様で映像を鑑賞させることができる。
【０３７４】
また、上記構成（３）、（４）では、上記配列手段は、抽出手段が抽出した右目用映像情報および左目用映像情報を規則的に２つの映像情報に配列する。それゆえ、鑑賞者の利き目に基づいて、鑑賞者に対して表示しない映像を設けることができる。なお、構成（３）、（４）は、右目用映像および左目用映像が、映像の違い（差）を認識できないほどに細かくコマ割りされている場合に適用可能な配列である。
【０３７５】
このように、本発明に係る表示制御装置では、配列手段は、右目用映像および左目用映像に基づいて、抽出手段が抽出した一対の右目用映像情報および左目用映像情報を種々のバリエーションで規則的に配列することができる。そして、本発明に係る表示制御装置は、何れの配列構成であっても、鑑賞者の利き目が右目あるいは左目であるかを考慮して、最初に鑑賞者の脳に認識させたい映像を認識させることができる。
【０３７６】
それゆえ、本発明に係る表示制御装置は、各々の鑑賞者に適した態様で映像を鑑賞させることができる。
【０３７７】
さらに、本発明に係る表示制御装置では、
上記配列手段が右目用映像情報および左目用映像情報を、右目用映像情報、左目用映像情報、右目用映像情報の順序で配列し、その順に第１乃至３映像情報とした場合、
上記変更情報生成手段は、上記変更情報として、
鑑賞者の利き目が右目の場合には、上記第１映像情報に対して上記右目用シャッターを開、上記左目用シャッターを閉とし、上記第２映像情報に対して上記右目用シャッターを閉、上記左目用シャッターを開とし、上記第３映像情報に対して両目のシャッターを閉とする情報を生成し、
鑑賞者の利き目が左目の場合には、上記第１映像情報に対して両目のシャッターを閉とし、上記第２映像情報に対して上記右目用シャッターを閉、上記左目用シャッターを開とし、上記第３映像情報に対して上記右目用シャッターを開、上記左目用シャッターを閉とする情報を生成し、
上記表示／非表示映像判断手段は、上記鑑賞者の利き目が右目の場合には上記第３映像情報に係る映像を、上記鑑賞者の利き目が左目の場合には上記第１映像情報に係る映像を、それぞれ上記非表示映像と判断することが好ましい。
【０３７８】
さらに、本発明に係る表示制御装置では、
上記配列手段が右目用映像情報および左目用映像情報を、左目用映像情報、右目用映像情報、左目用映像情報の順序で配列し、その順に第１乃至３映像情報とした場合、
上記変更情報生成手段は、上記変更情報として、
鑑賞者の利き目が右目の場合には、上記第１映像情報に対して両目のシャッターを閉とし、上記第２映像情報に対して上記右目用シャッターを開、上記左目用シャッターを閉とし、上記第３映像情報に対して上記右目用シャッターを閉、上記左目用シャッターを開とする情報を生成し、
鑑賞者の利き目が左目の場合には、上記第１映像情報に対して上記右目用シャッターを閉、上記左目用シャッターを開とし、上記第２映像情報に対して上記右目用シャッターを開、上記左目用シャッターを閉とし、上記第３映像情報に対して両目のシャッターを閉とする情報を生成し、
上記表示／非表示映像判断手段は、上記鑑賞者の利き目が右目の場合には上記第１映像情報に係る映像を、上記鑑賞者の利き目が左目の場合には上記第３映像情報に係る映像を、それぞれ上記非表示映像と判断することが好ましい。
【０３７９】
さらに、本発明に係る表示制御装置では、
上記配列手段が右目用映像情報および左目用映像情報を、右目用映像情報、左目用映像情報の順序で配列し、その順に第１および２映像情報とした場合、
上記変更情報生成手段は、上記変更情報として、
鑑賞者の利き目が左目の場合には、上記第１映像情報に対して両目のシャッターを閉とし、上記第２映像情報に対して右目側のシャッターを閉、左目側のシャッターを開とし、そのうえで、上記抽出手段が続けて抽出した右目用映像情報および左目用映像情報を、その順に第３および第４映像情報とした場合、上記第３映像情報に対して右目側のシャッターを開、左目側のシャッターを閉とし、上記第４映像情報に対して右目側のシャッターを閉、左目側のシャッターを開とする情報を生成し、
上記表示／非表示映像判断手段は、上記第１映像情報に係る映像を上記非表示映像と判断することが好ましい。
【０３８０】
さらに、本発明に係る表示制御装置では、
上記配列手段が右目用映像情報および左目用映像情報を、左目用映像情報、右目用映像情報の順序で配列し、その順に第１および２映像情報とした場合、
上記変更情報生成手段は、上記変更情報として、
鑑賞者の利き目が右目の場合には、上記第１映像情報に対して両目のシャッターを閉とし、上記第２映像情報に対して右目側のシャッターを開、左目側のシャッターを閉とし、そのうえで、上記抽出手段が続けて抽出した右目用映像情報および左目用映像情報を、その順に第３および第４映像情報とした場合、上記第３映像情報に対して右目側のシャッターを閉、左目側のシャッターを開とし、上記第４映像情報に対して右目側のシャッターを開、左目側のシャッターを閉とする情報を生成し、
上記表示／非表示映像判断手段は、上記第１映像情報に係る映像を上記非表示映像と判断することが好ましい。
【０３８１】
上記各構成により、本発明に係る表示制御装置は、利き目が左右何れの目であっても、鑑賞者に対して主映像と補助映像とをその順序で表示させることができる。つまり、本発明に係る表示制御装置では、補助映像と主映像とがその順序で表示されることによって「現在目で見ている世界の動き」と「実際の三半規管の動き」との間にズレが生じ、そのため脳が「酔い」を感じて混乱することが原因と言われる３Ｄ酔いを未然に防止することができる。
【０３８２】
それゆえ、本発明に係る表示制御装置は、利き目が左右何れの目であっても、各々の鑑賞者に適した態様で映像を鑑賞させることができるという効果を有する。
【０３８３】
さらに、本発明に係る表示制御装置では、
上記映像情報は、３次元表示に用いることが可能な右目用映像そのものを示す右目用映像情報と、３次元表示に用いることが可能な左目用映像そのものを示す左目用映像情報と、２次元表示に用いられる両目用映像そのものを示す両目用映像情報とを含み、
上記鑑賞態様情報は、鑑賞者が希望する映像の表示態様が３次元表示または２次元表示の何れの表示態様であるかを示す表示態様情報を含むときに、
上記表示／非表示映像判断手段は、上記鑑賞者が希望する映像の表示態様が３次元表示である場合には、上記両目用映像情報に係る映像を上記非表示映像と判断し、上記鑑賞者が希望する映像の表示態様が２次元表示である場合には、上記右目用映像情報および上記左目用映像情報に係る映像を上記非表示映像と判断することが好ましい。
【０３８４】
映像情報が、上記右目用映像情報、上記左目用映像情報、及び上記両目用映像情報を含む場合を考える。このとき、上記右目用映像情報および上記両目用映像情報によって３次元表示が実現し、上記両目用映像情報によって２次元表示が実現する。
【０３８５】
そこで、鑑賞者が希望する映像の表示態様が３次元表示である場合には、両目用映像情報に係る映像を非表示映像とすることにより、非表示映像である両目用映像情報に係る映像が表示装置に表示されるときに、表示状態変更手段の右目用シャッターおよび左目用シャッターが閉状態になる。それゆえ、本発明に係る表示制御装置は、鑑賞態様に不必要な両目用映像を鑑賞者に鑑賞させることがなく、上記右目用映像情報および上記左目用映像情報に係る映像を鑑賞者に鑑賞させることにより、３次元表示を実現することができる。
【０３８６】
同様に、鑑賞者が希望する映像の表示態様が２次元表示である場合には、上記右目用映像情報および上記左目用映像情報に係る映像を上記非表示映像とすることにより、非表示映像である上記右目用映像情報および上記左目用映像情報に係る映像が表示装置に表示されるときに、表示状態変更手段の右目用シャッターおよび左目用シャッターが閉状態になる。それゆえ、本発明に係る表示制御装置は、鑑賞態様に不必要な上記右目用映像報および上記左目用映像情報に係る映像を鑑賞者に鑑賞させることがない。それゆえ、本発明に係る表示制御装置は、鑑賞態様に不必要な鑑賞態様に不必要な上記右目用映像報および上記左目用映像情報に係る映像を鑑賞者に鑑賞させることがなく、上記両目用映像情報に係る映像を鑑賞者に鑑賞させることにより、２次元表示を実現することができる。
【０３８７】
このようにして、本発明に係る表示制御装置は、鑑賞者が希望する映像の鑑賞態様（２次元表示による鑑賞、もしくは３次元表示による鑑賞）を実現することができる。
【０３８８】
さらに、本発明に係る表示制御装置では、
上記鑑賞者は、複数存在し、
上記鑑賞態様情報が、その複数の鑑賞者それぞれに対して存在するときに、
上記シャッター動作制御手段は、上記複数の鑑賞者が使用する上記表示状態変更手段の動作それぞれについて、上記右目用シャッターおよび上記左目用シャッターを閉状態に動作させることが好ましい。
【０３８９】
上記構成とすることにより、たとえ鑑賞者が複数存在する場合においても、上記シャッター動作制御手段は、その複数の鑑賞者それぞれに関する鑑賞態様情報に基づいて、上記複数の鑑賞者が使用する表示状態変更手段それぞれの上記右目用シャッターおよび上記左目用シャッターを閉状態に動作させる。
【０３９０】
それゆえ、本発明に係る表示制御装置は、鑑賞者が複数存在するときにも、各々の鑑賞者に適した態様で映像を鑑賞させることができるという効果を有する。
【０３９１】
さらに、本発明に係る音声出力装置では、
上記表示装置に表示される映像に音声が付随し、その音声に関する情報を音声情報としたときに、
上記何れかに記載の表示制御装置から、上記表示映像そのものを示す表示映像情報と上記非表示映像そのものを示す非表示映像情報とを取得して、上記表示映像に付随する音声情報は外部に出力する出力音声情報と判断し、上記非表示映像に関連付けられた音声情報は外部へ出力しない非出力音声情報と判断する出力／非出力音声情報判断手段と、
上記出力／非出力音声情報判断手段によって出力音声情報と判断された音声を、その出力音声情報に関連付けられた表示映像が上記表示装置に表示されるときに出力する出力手段と、を備えることが好ましい。
【０３９２】
上記構成とすることにより、表示装置に上記表示映像が表示されるときに、その表示映像に関連付けられた出力音声情報に係る音声も出力される。逆に言えば、表示装置に上記非表示映像が表示されるときには、その非表示映像に関連付けられた音声情報に係る音声は出力されない。
【０３９３】
従って、本発明に係る音声出力装置は、表示映像と、その表示映像に関連付けられた音声とを同時に鑑賞者に視聴させることができる。そして、鑑賞者が複数存在し、その複数の鑑賞者それぞれに対して存在するときには、本発明に係る音声出力装置は、上記構成を備えることにより、鑑賞者ごとに表示映像と、その表示映像に関連付けられた音声とを同時に鑑賞者に視聴させることができる。
【０３９４】
なお、上記表示制御装置は、コンピュータによって実現してもよく、この場合には、コンピュータを上記各手段として動作させることにより上記表示制御装置をコンピュータにて実現させる表示制御プログラム、およびそれを記録したコンピュータ読み取り可能な記録媒体も、本発明の範疇に入る。
【０３９５】
さらに、上記表示制御装置を備えた記録再生装置、及び上記音声出力装置を備えた記録再生装置も本発明の範疇に入る。
【０３９６】
本発明に係る表示制御装置は、以上のように、上記表示装置に表示される映像に関する映像情報と、鑑賞者が希望する映像の鑑賞態様を示す鑑賞態様情報とに基づいて、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、上記表示／非表示映像判断手段によって非表示映像と判断された映像が上記表示装置に表示されるときに、上記右目用シャッターおよび上記左目用シャッターを閉状態に動作させるシャッター動作制御手段と、を備える構成である。
【０３９７】
また、本発明に係る表示制御方法は、以上のように、上記表示装置に表示される映像に関する映像情報と、鑑賞者が希望する映像の鑑賞態様を示す鑑賞態様情報とに基づいて、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断ステップと、上記表示／非表示映像判断ステップによって非表示映像と判断された映像が上記表示装置に表示されるときに、上記右目用シャッターおよび上記左目用シャッターを閉状態に動作させるシャッター動作制御ステップと、を含む構成である。
【０３９８】
それゆえ、各々の鑑賞者に適した態様で映像を鑑賞させることが可能な表示制御装置、表示制御方法、表示制御プログラム、コンピュータ読み取り可能な記録媒体、上記表示制御装置を備えた記録再生装置、及び上記音声出力装置を備えた記録再生装置を提供することができるという効果を奏する。
【０３９９】
本実施形態の一態様に係る表示制御装置は、上記の課題を解決するために、表示装置に表示される映像を鑑賞者に対して表示・非表示の状態に変更することが可能な右目用シャッターおよび左目用シャッターを有する表示状態変更手段の動作を制御する表示制御装置であって、上記表示装置に表示される映像に関する映像情報と、鑑賞者が希望する映像の鑑賞態様を示す鑑賞態様情報を上記表示制御装置に入力する鑑賞様態情報入力手段を介した入力と、上記鑑賞態様情報とに基づいて、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、上記表示／非表示映像判断手段によって非表示映像と判断された映像が上記表示装置に表示されるときに、上記表示装置から発信される同期信号に基づいて、上記右目用シャッターおよび上記左目用シャッターを閉状態に動作させるシャッター動作制御手段と、を備える構成であってよい。
【０４００】
また、本実施形態の一態様に係る表示制御装置は、上記映像情報は、３次元表示に用いることが可能な右目用映像そのものを示す右目用映像情報と、３次元表示に用いることが可能な左目用映像そのものを示す左目用映像情報とを含み、上記鑑賞態様情報は、上記鑑賞者が希望する映像の鑑賞態様が、２次元表示による鑑賞であることを示す２次元鑑賞情報を含むときに、上記表示／非表示映像判断手段は、上記右目用映像情報および上記左目用映像情報と、上記２次元鑑賞情報とに基づいて、上記右目用映像あるいは上記左目用映像の何れかを上記表示映像と、他方を上記非表示映像と判断する構成であってよい。
【０４０１】
また、本実施形態の一態様に係る表示制御装置は、上記映像情報は、上記表示装置に表示される映像の映像提供者に関する映像提供者情報を含み、上記鑑賞態様情報は、上記鑑賞者が希望する映像の鑑賞態様が、特定の映像提供者が提供する映像の鑑賞であることを示す特定提供者鑑賞情報を含み、上記表示装置に表示される映像が複数存在し、上記映像提供者が、その複数の映像それぞれに対して存在するときに、上記表示／非表示映像判断手段は、上記映像提供者情報と上記特定提供者鑑賞情報とに基づいて、上記特定の映像提供者が提供する映像を上記表示映像と、それ以外の映像提供者が提供する映像を上記非表示映像と判断する構成であってよい。
【０４０２】
また、本実施形態の一態様に係る表示制御装置は、上記映像情報は、上記表示装置に表示される映像の属性を示す映像属性情報を含み、上記鑑賞態様情報は、上記鑑賞者が希望する映像の鑑賞態様が、特定の属性を有する映像の鑑賞であることを示す特定属性情報を含み、上記表示装置に表示される映像が複数存在し、上記映像の属性が、その複数の映像それぞれに対して存在するときに、上記表示／非表示映像判断手段は、上記映像属性情報と上記特定属性情報とに基づいて、上記特定の属性を有する映像を上記表示映像と、それ以外の属性を有する映像を上記非表示映像と判断する構成であってよい。
【０４０３】
また、本実施形態の一態様に係る表示制御装置は、上記映像情報は、３次元表示に用いることが可能な右目用映像そのものを示す右目用映像情報と、３次元表示に用いることが可能な左目用映像そのものを示す左目用映像情報と、２次元表示に用いられる両目用映像そのものを示す両目用映像情報とを含み、上記鑑賞態様情報は、鑑賞者が希望する映像の表示態様が３次元表示または２次元表示の何れの表示態様であるかを示す表示態様情報を含むときに、上記表示／非表示映像判断手段は、上記鑑賞者が希望する映像の表示態様が３次元表示である場合には、上記両目用映像情報に係る映像を上記非表示映像と判断し、上記鑑賞者が希望する映像の表示態様が２次元表示である場合には、上記右目用映像情報および上記左目用映像情報に係る映像を上記非表示映像と判断する構成であってよい。
【０４０４】
また、本実施形態の一態様に係る表示制御装置は、上記鑑賞者は、複数存在し、上記鑑賞態様情報が、その複数の鑑賞者それぞれに対して存在するときに、上記シャッター動作制御手段は、上記複数の鑑賞者が使用する上記表示状態変更手段の動作それぞれについて、上記右目用シャッターおよび上記左目用シャッターを閉状態に動作させる構成であってよい。
【０４０５】
本実施形態の一態様に係る表示制御装置は、以上のように、上記表示装置に表示される映像に関する映像情報と、鑑賞者が希望する映像の鑑賞態様を示す鑑賞態様情報を上記表示制御装置に入力する鑑賞様態情報入力手段を介した入力と、上記鑑賞態様情報とに基づいて、表示装置に表示される映像のうち、上記鑑賞態様に必要なものとして上記鑑賞者に対して表示する表示映像と、上記鑑賞態様に不必要なものとして鑑賞者に対して表示しない非表示映像とを判断する表示／非表示映像判断手段と、上記表示／非表示映像判断手段によって非表示映像と判断された映像が上記表示装置に表示されるときに、上記表示装置から発信される同期信号に基づいて、上記右目用シャッターおよび上記左目用シャッターを閉状態に動作させるシャッター動作制御手段と、を備える構成である。
【０４０６】
それゆえ、各々の鑑賞者に適した態様で映像を鑑賞させることが可能な表示制御装置を提供することができるという効果を奏する。
【産業上の利用可能性】
【０４０７】
本発明は、各々の鑑賞者に適した態様で映像を鑑賞させることが可能な、ユーザにとって利便性の高い表示制御装置に適用することができる。
【符号の説明】
【０４０８】
１、２、３      表示制御装置
４      ケーブル
１０    左右映像分離部
２０    コマ映像分割部
３０    映像抽出部（抽出手段）
４０    映像配列部（配列手段）
５０    変更情報生成部（変更情報生成手段）
７０    表示／非表示映像判断部（表示／非表示映像判断手段）
８０    シャッター動作制御部（シャッター動作制御手段）
１００、１５０、１６０、１７０、１８０  記録再生装置
１１０  情報再生部
１２０  情報記録再生部
１２１  ディスク装填認識部
１２２  格納部
１２３  メモリ
１２４  操作部
１２５  記録再生回路群
１２６  光ヘッド
１２７  光ピックアップ
１２８  制御部
１２９  ピックアップ駆動回路
１３０  レーザ駆動回路
１３１  再生回路
２００  記憶部
３００  操作部
４００  表示装置
５００  液晶シャッター（表示状態変更手段）
６００  メガネ（表示状態変更手段）
７００  表示状態変更部（表示状態変更手段）
８００  音声出力装置
８１０  出力／非出力音声情報判断部（出力／非出力音声情報判断手段）
８２０  出力部（出力手段）
【図１】
0005607226.tif 000002
【図２】
0005607226.tif 000003
【図３】
0005607226.tif 000004
【図４】
0005607226.tif 000005
【図５】
0005607226.tif 000006
【図６】
0005607226.tif 000007
【図７】
0005607226.tif 000008
【図８】
0005607226.tif 000009
【図９】
0005607226.tif 000010
【図１０】
0005607226.tif 000011
【図１１】
0005607226.tif 000012
【図１２】
0005607226.tif 000013
【図１３】
0005607226.tif 000014
【図１４】
0005607226.tif 000015
【図１５】
0005607226.tif 000016
【図１６】
0005607226.tif 000017
【図１７】
0005607226.tif 000018